(57)【要約】【課題】高精細かつフレームレートが高い映像信号をシリアル伝送する場合に、元の映像信号のフレーム単位で映像の切り替えを可能にする。【解決手段】間引き制御部は、１フレームの画素数がＨＤフォーマットで規定される画素数を超えるｍ×ｎ／（４８Ｐ−６０Ｐ）×Ｎ／ｒ：ｇ：ｂ／１０ビット，１２ビット信号からなる映像信号の連続するＮフレームから、２Ｎライン間隔で各ラインの隣り合う２つの画素サンプルのペアを１つ置きに間引き、ｍ′×ｎ′／４８Ｐ−６０Ｐ／ｒ′：ｇ′：ｂ′／１０ビット，１２ビット信号からなる第１〜第４Ｎのサブイメージにマッピングするとともに、各サブイメージにおいて映像信号の各フレームの画素サンプルをそれぞれマッピングするＮの領域の間に垂直ブランキング領域を設ける。本開示は、例えば、放送用カメラに適用することができる。【選択図】図２２
2018174582.tif 000002
【特許請求の範囲】
【請求項１】
１フレームの画素数がＨＤフォーマットで規定される画素数を超えるｍ×ｎ（ｍサンプル、ｎラインを示すｍ，ｎは、正の整数）／（４８Ｐ−６０Ｐ）×Ｎ（Ｎは、２以上の整数）／ｒ：ｇ：ｂ（ｒ，ｇ，ｂは、所定の信号伝送方式である場合における信号比率）／１０ビット，１２ビット信号からなる第１の映像信号の連続するＮフレームから、２Ｎライン間隔で各ラインの隣り合う２つの画素サンプルのペアを１つ置きに間引き、ｍ′×ｎ′（ｍ′サンプル、ｎ′ラインを示すｍ′，ｎ′は、正の整数）／４８Ｐ−６０Ｐ／ｒ′：ｇ′：ｂ′（ｒ′，ｇ′，ｂ′は、所定の信号伝送方式である場合における信号比率）／１０ビット，１２ビット信号からなる第１〜第４Ｎのサブイメージにマッピングするとともに、各サブイメージにおいて前記第１の映像信号の各フレームの画素サンプルをそれぞれマッピングするＮの領域の間に垂直ブランキング領域を設ける第１の画素間引き制御部を
備える信号処理装置。
【請求項２】
前記第１の映像信号は、３８４０×２１６０／（５０Ｐ−６０Ｐ）×Ｎ／４：４：４，４：２：２，４：２：０／１０ビット，１２ビット信号である
請求項１に記載の信号処理装置。
【請求項３】
Ｎが２であり、
前記第１の画素間引き制御部は、前記サブイメージの先頭に２１ライン、末尾に２ライン、及び、前記映像信号の第１のフレームの画素サンプルがマッピングされる領域と第２のフレームの画素サンプルがマッピングされる領域との間に２２ラインの前記垂直ブランキング領域を設ける
請求項２に記載の信号処理装置。
【請求項４】
７６８０×４３２０／（５０Ｐ−６０Ｐ）×Ｎ／４：４：４，４：２：２，４：２：０／１０ビット，１２ビット信号からなる第２の映像信号から、１ライン置きに各ラインの隣り合う２つの画素サンプルのペアを１つ置きに間引き、４つの前記第１の映像信号にマッピングする第２の画素間引き制御部を
さらに備える請求項２に記載の信号処理装置。
【請求項５】
前記第１〜第４Ｎのサブイメージのライン間引きを行うことによりインターレース信号に変換するライン間引き制御部と、
前記インターレース信号のワード間引きを行うことにより、１６ＮチャンネルのＨＤ−ＳＤＩのフォーマットで規定されるシリアル・デジタルデータを生成するワード間引き制御部と
をさらに備える請求項１に記載の信号処理装置。
【請求項６】
前記１６Ｎチャンネルのシリアル・デジタルデータを多重することにより、２Ｎチャンネルの１０．６９２ＧｂｐｓのＳＤＩのフォーマットで規定されるシリアル・デジタルデータを生成する多重部を
さらに備える請求項５に記載の信号処理装置。
【請求項７】
前記１６Ｎチャンネルのシリアル・デジタルデータを多重することにより、８Ｎチャンネルの３ＧｂｐｓのＳＤＩのフォーマットで規定されるシリアル・デジタルデータを生成する多重部を
さらに備える請求項５に記載の信号処理装置。
【請求項８】
前記シリアル・デジタルデータの出力を制御する出力制御部を
さらに備える請求項５に記載の信号処理装置。
【請求項９】
１フレームの画素数がＨＤフォーマットで規定される画素数を超えるｍ×ｎ（ｍサンプル、ｎラインを示すｍ，ｎは、正の整数）／（４８Ｐ−６０Ｐ）×Ｎ（Ｎは、２以上の整数）／ｒ：ｇ：ｂ（ｒ，ｇ，ｂは、所定の信号伝送方式である場合における信号比率）／１０ビット，１２ビット信号からなる映像信号の連続するＮフレームから、２Ｎライン間隔で各ラインの隣り合う２つの画素サンプルのペアを１つ置きに間引き、ｍ′×ｎ′（ｍ′サンプル、ｎ′ラインを示すｍ′，ｎ′は、正の整数）／４８Ｐ−６０Ｐ／ｒ′：ｇ′：ｂ′（ｒ′，ｇ′，ｂ′は、所定の信号伝送方式である場合における信号比率）／１０ビット，１２ビット信号からなる第１〜第４Ｎのサブイメージにマッピングするとともに、各サブイメージにおいて前記映像信号の各フレームの画素サンプルをそれぞれマッピングするＮの領域の間に垂直ブランキング領域を設ける画素間引き制御ステップを
含む信号処理方法。
【請求項１０】
１フレームの画素数がＨＤフォーマットで規定される画素数を超えるｍ×ｎ（ｍサンプル、ｎラインを示すｍ，ｎは、正の整数）／（４８Ｐ−６０Ｐ）×Ｎ（Ｎは、２以上の整数）／ｒ：ｇ：ｂ（ｒ，ｇ，ｂは、所定の信号伝送方式である場合における信号比率）／１０ビット，１２ビット信号からなる映像信号の連続するＮフレームから、２Ｎライン間隔で各ラインの隣り合う２つの画素サンプルのペアを１つ置きに間引き、ｍ′×ｎ′（ｍ′サンプル、ｎ′ラインを示すｍ′，ｎ′は、正の整数）／４８Ｐ−６０Ｐ／ｒ′：ｇ′：ｂ′（ｒ′，ｇ′，ｂ′は、所定の信号伝送方式である場合における信号比率）／１０ビット，１２ビット信号からなる第１〜第４Ｎのサブイメージにマッピングするとともに、各サブイメージにおいて前記映像信号の各フレームの画素サンプルをそれぞれマッピングするＮの領域の間に垂直ブランキング領域を設ける画素間引き制御ステップを
含む処理をコンピュータに実行させるためのプログラム。
【請求項１１】
１フレームの画素数がＨＤフォーマットで規定される画素数を超えるｍ×ｎ（ｍサンプル、ｎラインを示すｍ，ｎは、正の整数）／（４８Ｐ−６０Ｐ）×Ｎ（Ｎは、２以上の整数）／ｒ：ｇ：ｂ（ｒ，ｇ，ｂは、所定の信号伝送方式である場合における信号比率）／１０ビット，１２ビット信号からなる映像信号の連続するＮフレームから、２Ｎライン間隔で各ラインの隣り合う２つの画素サンプルのペアを１つ置きに間引き、マッピングすることにより生成され、ｍ′×ｎ′（ｍ′サンプル、ｎ′ラインを示すｍ′，ｎ′は、正の整数）／４８Ｐ−６０Ｐ／ｒ′：ｇ′：ｂ′（ｒ′，ｇ′，ｂ′は、所定の信号伝送方式である場合における信号比率）／１０ビット，１２ビット信号からなる第１〜第４Ｎのサブイメージであって、前記映像信号の各フレームの画素サンプルがそれぞれマッピングされるＮの領域の間に垂直ブランキング領域が設けられる第１〜第４Ｎのサブイメージから画素サンプルを抽出し、多重することにより前記Ｎフレームの映像信号を再生する画素多重部を
備える信号処理装置。
【請求項１２】
１フレームの画素数がＨＤフォーマットで規定される画素数を超えるｍ×ｎ（ｍサンプル、ｎラインを示すｍ，ｎは、正の整数）／（４８Ｐ−６０Ｐ）×Ｎ（Ｎは、２以上の整数）／ｒ：ｇ：ｂ（ｒ，ｇ，ｂは、所定の信号伝送方式である場合における信号比率）／１０ビット，１２ビット信号からなる映像信号の連続するＮフレームから、２Ｎライン間隔で各ラインの隣り合う２つの画素サンプルのペアを１つ置きに間引き、マッピングすることにより生成され、ｍ′×ｎ′（ｍ′サンプル、ｎ′ラインを示すｍ′，ｎ′は、正の整数）／４８Ｐ−６０Ｐ／ｒ′：ｇ′：ｂ′（ｒ′，ｇ′，ｂ′は、所定の信号伝送方式である場合における信号比率）／１０ビット，１２ビット信号からなる第１〜第４Ｎのサブイメージであって、前記映像信号の各フレームの画素サンプルがそれぞれマッピングされるＮの領域の間に垂直ブランキング領域が設けられる第１〜第４Ｎのサブイメージから画素サンプルを抽出し、多重することにより前記Ｎフレームの映像信号を再生する画素多重ステップを
含む信号処理方法。
【請求項１３】
１フレームの画素数がＨＤフォーマットで規定される画素数を超えるｍ×ｎ（ｍサンプル、ｎラインを示すｍ，ｎは、正の整数）／（４８Ｐ−６０Ｐ）×Ｎ（Ｎは、２以上の整数）／ｒ：ｇ：ｂ（ｒ，ｇ，ｂは、所定の信号伝送方式である場合における信号比率）／１０ビット，１２ビット信号からなる映像信号の連続するＮフレームから、２Ｎライン間隔で各ラインの隣り合う２つの画素サンプルのペアを１つ置きに間引き、マッピングすることにより生成され、ｍ′×ｎ′（ｍ′サンプル、ｎ′ラインを示すｍ′，ｎ′は、正の整数）／４８Ｐ−６０Ｐ／ｒ′：ｇ′：ｂ′（ｒ′，ｇ′，ｂ′は、所定の信号伝送方式である場合における信号比率）／１０ビット，１２ビット信号からなる第１〜第４Ｎのサブイメージであって、前記映像信号の各フレームの画素サンプルがそれぞれマッピングされるＮの領域の間に垂直ブランキング領域が設けられる第１〜第４Ｎのサブイメージから画素サンプルを抽出し、多重することにより前記Ｎフレームの映像信号を再生する画素多重ステップを
含む処理をコンピュータに実行させるためのプログラム。
【請求項１４】
１フレームの画素数がＨＤフォーマットで規定される画素数を超えるｍ×ｎ（ｍサンプル、ｎラインを示すｍ，ｎは、正の整数）／（４８Ｐ−６０Ｐ）×Ｎ（Ｎは、２以上の整数）／ｒ：ｇ：ｂ（ｒ，ｇ，ｂは、所定の信号伝送方式である場合における信号比率）／１０ビット，１２ビット信号からなる映像信号の連続するＮフレームから、２Ｎライン間隔で各ラインの隣り合う２つの画素サンプルのペアを１つ置きに間引き、ｍ′×ｎ′（ｍ′サンプル、ｎ′ラインを示すｍ′，ｎ′は、正の整数）／４８Ｐ−６０Ｐ／ｒ′：ｇ′：ｂ′（ｒ′，ｇ′，ｂ′は、所定の信号伝送方式である場合における信号比率）／１０ビット，１２ビット信号からなる第１〜第４Ｎのサブイメージにマッピングするとともに、各サブイメージにおいて前記映像信号の各フレームの画素サンプルをそれぞれマッピングするＮの領域の間に垂直ブランキング領域を設ける第１の画素間引き制御部を
備える信号送信装置と、
前記第１〜第４Ｎのサブイメージから画素サンプルを抽出し、多重することにより前記Ｎフレームの映像信号を再生する画素多重部を
備える信号送信装置と
を備える信号伝送システム。
【発明の詳細な説明】
【技術分野】
【０００１】
本開示は、信号処理装置、信号処理方法、プログラム、及び、信号伝送システムに関し、特に、高精細かつフレームレートが高い映像信号をシリアル伝送する場合に適用して好適な信号処理装置、信号処理方法、プログラム、及び、信号伝送システムに関する。
【背景技術】
【０００２】
従来、１フレームが１９２０サンプル×１０８０ラインの現行のＨＤ（High Definition）の映像信号を超える超高精細映像信号の受像システムや撮像システムの開発が進んでいる。例えば、現行のＨＤで規定される画素数の４倍又は１６倍もの画素数を持つ次世代の放送方式であるＵＨＤＴＶ（Ultra High Definition TV）規格の標準化が、国際協会によって行われている。この国際協会には、ＩＴＵ（International Telecommunication Union）やＳＭＰＴＥ（Society of Motion Picture and Television Engineers）がある。
【０００３】
また、従来、フレームレートが５０Ｐ−６０Ｐを超えるＵＨＤＴＶの映像信号を、ＨＤ−ＳＤＩインタフェースや１０Ｇｂｐｓのシリアルインタフェースを利用してシリアル伝送する技術が開示されている（例えば、特許文献１参照）。
【先行技術文献】
【特許文献】
【０００４】
【特許文献１】特開２０１２−２４４４１９号公報
【発明の概要】
【発明が解決しようとする課題】
【０００５】
しかしながら、特許文献１に記載の技術では、ＵＨＤＴＶの映像信号を連続する２フレーム単位で２画素サンプル毎に間引いて複数のサブイメージにマッピングするが、同じサブイメージにマッピングしたフレーム間で映像の切り替えができない。すなわち、元の映像信号のフレーム単位で映像の切り替えができない。
【０００６】
本開示はこのような状況に鑑みて成されたものであり、高精細かつフレームレートが高い映像信号をＳＤＩ（Serial Digital Interface）によりシリアル伝送する場合に、元の映像信号のフレーム単位で映像の切り替えを可能にするものである。
【課題を解決するための手段】
【０００７】
本開示の第１の側面の信号処理装置は、１フレームの画素数がＨＤフォーマットで規定される画素数を超えるｍ×ｎ（ｍサンプル、ｎラインを示すｍ，ｎは、正の整数）／（４８Ｐ−６０Ｐ）×Ｎ（Ｎは、２以上の整数）／ｒ：ｇ：ｂ（ｒ，ｇ，ｂは、所定の信号伝送方式である場合における信号比率）／１０ビット，１２ビット信号からなる第１の映像信号の連続するＮフレームから、２Ｎライン間隔で各ラインの隣り合う２つの画素サンプルのペアを１つ置きに間引き、ｍ′×ｎ′（ｍ′サンプル、ｎ′ラインを示すｍ′，ｎ′は、正の整数）／４８Ｐ−６０Ｐ／ｒ′：ｇ′：ｂ′（ｒ′，ｇ′，ｂ′は、所定の信号伝送方式である場合における信号比率）／１０ビット，１２ビット信号からなる第１〜第４Ｎのサブイメージにマッピングするとともに、各サブイメージにおいて前記第１の映像信号の各フレームの画素サンプルをそれぞれマッピングするＮの領域の間に垂直ブランキング領域を設ける第１の画素間引き制御部を備える。
【０００８】
前記第１の映像信号は、３８４０×２１６０／（５０Ｐ−６０Ｐ）×Ｎ／４：４：４，４：２：２，４：２：０／１０ビット，１２ビット信号とすることができる。
【０００９】
Ｎを２とし、前記第１の画素間引き制御部には、前記サブイメージの先頭に２１ライン、末尾に２ライン、及び、前記映像信号の第１のフレームの画素サンプルがマッピングされる領域と第２のフレームの画素サンプルがマッピングされる領域との間に２２ラインの前記垂直ブランキング領域を設けさせることができる。
【００１０】
７６８０×４３２０／（５０Ｐ−６０Ｐ）×Ｎ／４：４：４，４：２：２，４：２：０／１０ビット，１２ビット信号からなる第２の映像信号から、１ライン置きに各ラインの隣り合う２つの画素サンプルのペアを１つ置きに間引き、４つの前記第１の映像信号にマッピングする第２の画素間引き制御部をさらに設けることができる。
【００１１】
前記第１〜第４Ｎのサブイメージのライン間引きを行うことによりインターレース信号に変換するライン間引き制御部と、前記インターレース信号のワード間引きを行うことにより、１６ＮチャンネルのＨＤ−ＳＤＩのフォーマットで規定されるシリアル・デジタルデータを生成するワード間引き制御部とをさらに設けることができる。
【００１２】
前記１６Ｎチャンネルのシリアル・デジタルデータを多重することにより、２Ｎチャンネルの１０．６９２ＧｂｐｓのＳＤＩのフォーマットで規定されるシリアル・デジタルデータを生成する多重部をさらに設けることができる。
【００１３】
前記１６Ｎチャンネルのシリアル・デジタルデータを多重することにより、８Ｎチャンネルの３ＧｂｐｓのＳＤＩのフォーマットで規定されるシリアル・デジタルデータを生成する多重部をさらに設けることができる。
【００１４】
前記シリアル・デジタルデータの出力を制御する出力制御部をさらに設けることができる。
【００１５】
本開示の第１の側面の信号処理方法は、１フレームの画素数がＨＤフォーマットで規定される画素数を超えるｍ×ｎ（ｍサンプル、ｎラインを示すｍ，ｎは、正の整数）／（４８Ｐ−６０Ｐ）×Ｎ（Ｎは、２以上の整数）／ｒ：ｇ：ｂ（ｒ，ｇ，ｂは、所定の信号伝送方式である場合における信号比率）／１０ビット，１２ビット信号からなる映像信号の連続するＮフレームから、２Ｎライン間隔で各ラインの隣り合う２つの画素サンプルのペアを１つ置きに間引き、ｍ′×ｎ′（ｍ′サンプル、ｎ′ラインを示すｍ′，ｎ′は、正の整数）／４８Ｐ−６０Ｐ／ｒ′：ｇ′：ｂ′（ｒ′，ｇ′，ｂ′は、所定の信号伝送方式である場合における信号比率）／１０ビット，１２ビット信号からなる第１〜第４Ｎのサブイメージにマッピングするとともに、各サブイメージにおいて前記映像信号の各フレームの画素サンプルをそれぞれマッピングするＮの領域の間に垂直ブランキング領域を設ける画素間引き制御ステップを含む。
【００１６】
本開示の第１の側面のプログラムは、１フレームの画素数がＨＤフォーマットで規定される画素数を超えるｍ×ｎ（ｍサンプル、ｎラインを示すｍ，ｎは、正の整数）／（４８Ｐ−６０Ｐ）×Ｎ（Ｎは、２以上の整数）／ｒ：ｇ：ｂ（ｒ，ｇ，ｂは、所定の信号伝送方式である場合における信号比率）／１０ビット，１２ビット信号からなる映像信号の連続するＮフレームから、２Ｎライン間隔で各ラインの隣り合う２つの画素サンプルのペアを１つ置きに間引き、ｍ′×ｎ′（ｍ′サンプル、ｎ′ラインを示すｍ′，ｎ′は、正の整数）／４８Ｐ−６０Ｐ／ｒ′：ｇ′：ｂ′（ｒ′，ｇ′，ｂ′は、所定の信号伝送方式である場合における信号比率）／１０ビット，１２ビット信号からなる第１〜第４Ｎのサブイメージにマッピングするとともに、各サブイメージにおいて前記映像信号の各フレームの画素サンプルをそれぞれマッピングするＮの領域の間に垂直ブランキング領域を設ける画素間引き制御ステップを含む処理をコンピュータに実行させる。
【００１７】
本開示の第２の側面の信号処理装置は、１フレームの画素数がＨＤフォーマットで規定される画素数を超えるｍ×ｎ（ｍサンプル、ｎラインを示すｍ，ｎは、正の整数）／（４８Ｐ−６０Ｐ）×Ｎ（Ｎは、２以上の整数）／ｒ：ｇ：ｂ（ｒ，ｇ，ｂは、所定の信号伝送方式である場合における信号比率）／１０ビット，１２ビット信号からなる映像信号の連続するＮフレームから、２Ｎライン間隔で各ラインの隣り合う２つの画素サンプルのペアを１つ置きに間引き、マッピングすることにより生成され、ｍ′×ｎ′（ｍ′サンプル、ｎ′ラインを示すｍ′，ｎ′は、正の整数）／４８Ｐ−６０Ｐ／ｒ′：ｇ′：ｂ′（ｒ′，ｇ′，ｂ′は、所定の信号伝送方式である場合における信号比率）／１０ビット，１２ビット信号からなる第１〜第４Ｎのサブイメージであって、前記映像信号の各フレームの画素サンプルがそれぞれマッピングされるＮの領域の間に垂直ブランキング領域が設けられる第１〜第４Ｎのサブイメージから画素サンプルを抽出し、多重することにより前記Ｎフレームの映像信号を再生する画素多重部を備える。
【００１８】
本開示の第２の側面の信号処理方法は、１フレームの画素数がＨＤフォーマットで規定される画素数を超えるｍ×ｎ（ｍサンプル、ｎラインを示すｍ，ｎは、正の整数）／（４８Ｐ−６０Ｐ）×Ｎ（Ｎは、２以上の整数）／ｒ：ｇ：ｂ（ｒ，ｇ，ｂは、所定の信号伝送方式である場合における信号比率）／１０ビット，１２ビット信号からなる映像信号の連続するＮフレームから、２Ｎライン間隔で各ラインの隣り合う２つの画素サンプルのペアを１つ置きに間引き、マッピングすることにより生成され、ｍ′×ｎ′（ｍ′サンプル、ｎ′ラインを示すｍ′，ｎ′は、正の整数）／４８Ｐ−６０Ｐ／ｒ′：ｇ′：ｂ′（ｒ′，ｇ′，ｂ′は、所定の信号伝送方式である場合における信号比率）／１０ビット，１２ビット信号からなる第１〜第４Ｎのサブイメージであって、前記映像信号の各フレームの画素サンプルがそれぞれマッピングされるＮの領域の間に垂直ブランキング領域が設けられる第１〜第４Ｎのサブイメージから画素サンプルを抽出し、多重することにより前記Ｎフレームの映像信号を再生する画素多重ステップを含む。
【００１９】
本開示の第２の側面のプログラムは、１フレームの画素数がＨＤフォーマットで規定される画素数を超えるｍ×ｎ（ｍサンプル、ｎラインを示すｍ，ｎは、正の整数）／（４８Ｐ−６０Ｐ）×Ｎ（Ｎは、２以上の整数）／ｒ：ｇ：ｂ（ｒ，ｇ，ｂは、所定の信号伝送方式である場合における信号比率）／１０ビット，１２ビット信号からなる映像信号の連続するＮフレームから、２Ｎライン間隔で各ラインの隣り合う２つの画素サンプルのペアを１つ置きに間引き、マッピングすることにより生成され、ｍ′×ｎ′（ｍ′サンプル、ｎ′ラインを示すｍ′，ｎ′は、正の整数）／４８Ｐ−６０Ｐ／ｒ′：ｇ′：ｂ′（ｒ′，ｇ′，ｂ′は、所定の信号伝送方式である場合における信号比率）／１０ビット，１２ビット信号からなる第１〜第４Ｎのサブイメージであって、前記映像信号の各フレームの画素サンプルがそれぞれマッピングされるＮの領域の間に垂直ブランキング領域が設けられる第１〜第４Ｎのサブイメージから画素サンプルを抽出し、多重することにより前記Ｎフレームの映像信号を再生する画素多重ステップを含む処理をコンピュータに実行させる。
【００２０】
本開示の第３の側面の信号伝送システムは、１フレームの画素数がＨＤフォーマットで規定される画素数を超えるｍ×ｎ（ｍサンプル、ｎラインを示すｍ，ｎは、正の整数）／（４８Ｐ−６０Ｐ）×Ｎ（Ｎは、２以上の整数）／ｒ：ｇ：ｂ（ｒ，ｇ，ｂは、所定の信号伝送方式である場合における信号比率）／１０ビット，１２ビット信号からなる映像信号の連続するＮフレームから、２Ｎライン間隔で各ラインの隣り合う２つの画素サンプルのペアを１つ置きに間引き、ｍ′×ｎ′（ｍ′サンプル、ｎ′ラインを示すｍ′，ｎ′は、正の整数）／４８Ｐ−６０Ｐ／ｒ′：ｇ′：ｂ′（ｒ′，ｇ′，ｂ′は、所定の信号伝送方式である場合における信号比率）／１０ビット，１２ビット信号からなる第１〜第４Ｎのサブイメージにマッピングするとともに、各サブイメージにおいて前記映像信号の各フレームの画素サンプルをそれぞれマッピングするＮの領域の間に垂直ブランキング領域を設ける第１の画素間引き制御部を備える信号送信装置と、前記第１〜第４Ｎのサブイメージから画素サンプルを抽出し、多重することにより前記Ｎフレームの映像信号を再生する画素多重部を備える信号送信装置とを備える。
【００２１】
本開示の第１の側面においては、１フレームの画素数がＨＤフォーマットで規定される画素数を超えるｍ×ｎ（ｍサンプル、ｎラインを示すｍ，ｎは、正の整数）／（４８Ｐ−６０Ｐ）×Ｎ（Ｎは、２以上の整数）／ｒ：ｇ：ｂ（ｒ，ｇ，ｂは、所定の信号伝送方式である場合における信号比率）／１０ビット，１２ビット信号からなる第１の映像信号の連続するＮフレームから、２Ｎライン間隔で各ラインの隣り合う２つの画素サンプルのペアが１つ置きに間引かれ、ｍ′×ｎ′（ｍ′サンプル、ｎ′ラインを示すｍ′，ｎ′は、正の整数）／４８Ｐ−６０Ｐ／ｒ′：ｇ′：ｂ′（ｒ′，ｇ′，ｂ′は、所定の信号伝送方式である場合における信号比率）／１０ビット，１２ビット信号からなる第１〜第４Ｎのサブイメージにマッピングされるとともに、各サブイメージにおいて前記第１の映像信号の各フレームの画素サンプルをそれぞれマッピングするＮの領域の間に垂直ブランキング領域が設けられる。
【００２２】
本開示の第２の側面においては、１フレームの画素数がＨＤフォーマットで規定される画素数を超えるｍ×ｎ（ｍサンプル、ｎラインを示すｍ，ｎは、正の整数）／（４８Ｐ−６０Ｐ）×Ｎ（Ｎは、２以上の整数）／ｒ：ｇ：ｂ（ｒ，ｇ，ｂは、所定の信号伝送方式である場合における信号比率）／１０ビット，１２ビット信号からなる映像信号の連続するＮフレームから、２Ｎライン間隔で各ラインの隣り合う２つの画素サンプルのペアを１つ置きに間引き、マッピングすることにより生成され、ｍ′×ｎ′（ｍ′サンプル、ｎ′ラインを示すｍ′，ｎ′は、正の整数）／４８Ｐ−６０Ｐ／ｒ′：ｇ′：ｂ′（ｒ′，ｇ′，ｂ′は、所定の信号伝送方式である場合における信号比率）／１０ビット，１２ビット信号からなる第１〜第４Ｎのサブイメージであって、前記映像信号の各フレームの画素サンプルがそれぞれマッピングされるＮの領域の間に垂直ブランキング領域が設けられる第１〜第４Ｎのサブイメージから画素サンプルが抽出され、多重されることにより前記Ｎフレームの映像信号が再生される。
【００２３】
本開示の第３の側面においては、１フレームの画素数がＨＤフォーマットで規定される画素数を超えるｍ×ｎ（ｍサンプル、ｎラインを示すｍ，ｎは、正の整数）／（４８Ｐ−６０Ｐ）×Ｎ（Ｎは、２以上の整数）／ｒ：ｇ：ｂ（ｒ，ｇ，ｂは、所定の信号伝送方式である場合における信号比率）／１０ビット，１２ビット信号からなる映像信号の連続するＮフレームから、２Ｎライン間隔で各ラインの隣り合う２つの画素サンプルのペアが１つ置きに間引かれ、ｍ′×ｎ′（ｍ′サンプル、ｎ′ラインを示すｍ′，ｎ′は、正の整数）／４８Ｐ−６０Ｐ／ｒ′：ｇ′：ｂ′（ｒ′，ｇ′，ｂ′は、所定の信号伝送方式である場合における信号比率）／１０ビット，１２ビット信号からなる第１〜第４Ｎのサブイメージにマッピングされるとともに、各サブイメージにおいて前記映像信号の各フレームの画素サンプルをそれぞれマッピングするＮの領域の間に垂直ブランキング領域が設けられ、前記第１〜第４Ｎのサブイメージから画素サンプルが抽出され、多重されることにより前記Ｎフレームの映像信号が再生される。
【発明の効果】
【００２４】
本開示の第１〜第３の側面によれば、高精細かつフレームレートが高い映像信号をＳＤＩ（Serial Digital Interface）によりシリアル伝送する場合に、元の映像信号のフレーム単位で映像の切り替えを行うことができる。
【図面の簡単な説明】
【００２５】
【図１】ＵＨＤＴＶに関する映像信号の規格を示す表である。
【図２】ＳＭＰＴＥ２０４８−１，２で標準化されている２０４８×１０８０の信号規格を示す表である。
【図３】ＳＭＰＴＥ２０４８−１，２で標準化されている４０９６×２１６０の信号規格を示す表である。
【図４】３８４０×２１６０におけるＵＨＤＴＶ規格のサンプル構造の例を示す説明図である。
【図５】本開示の第１の実施の形態に係るテレビジョン放送局用のカメラ伝送システムの全体構成を示す図である。
【図６】本開示の第１の実施の形態に係る放送用カメラの回路構成のうち、信号送信装置の内部構成例を示すブロック図である。
【図７】本開示の第１の実施の形態に係るマッピング部の内部構成例を示すブロック図である。
【図８】本開示の第１の実施の形態に係る２画素間引き制御部が第１及び第２のクラスイメージから画素サンプルを２画素ずつ間引いて第１〜第８のサブイメージにマッピングする処理例を示す説明図である。
【図９】サブイメージのフォーマットの第１の例を示す図である。
【図１０】サブイメージの映像データ領域の間に垂直ブランキング領域を設けることにより、マッピング時の遅延が抑制される原理を説明するための図である。
【図１１】本開示の第１の実施の形態に係る第１〜第８のサブイメージをライン間引きした後、ワード間引きをすることによって、ＳＭＰＴＥ３７２Ｍの規定に従ってリンクＡ又はリンクＢに分割する例を示す説明図である。
【図１２】サブイメージのライン間引きについて説明するための図である。
【図１３】ＳＭＰＴＥ３７２によるリンクＡ，Ｂのデータ構造の例を示す説明図である。
【図１４】２４Ｐの場合における１０．６９２Ｇｂｐｓのシリアル・デジタルデータの１ライン分のデータ構造例を示す説明図である。
【図１５】モードＤの例を示す説明図である。
【図１６】本開示の第１の実施の形態に係る多重部が行うデータの多重処理の例を示す説明図である。
【図１７】本開示の第１の実施の形態に係るＣＣＵの回路構成のうち、信号受信装置の内部構成例を示すブロック図である。
【図１８】本開示の第１の実施の形態に係る再生部の内部構成例を示すブロック図である。
【図１９】本開示の第２の実施の形態に係るマッピング部の内部構成例を示すブロック図である。
【図２０】本開示の第２の実施の形態に係るマッピング部がＵＨＤＴＶ２クラスイメージに含まれる画素サンプルをＵＨＤＴＶ１クラスイメージにマッピングする処理イメージを示す説明図である。
【図２１】本開示の第２の実施の形態に係る再生部の内部構成例を示すブロック図である。
【図２２】本開示の第３の実施の形態に係るマッピング部がＵＨＤＴＶ１クラスイメージに含まれる画素サンプルを第１〜第４Ｎのサブイメージにマッピングする処理イメージを示す説明図である。
【図２３】サブイメージのフォーマットの第２の例を示す図である。
【図２４】本開示の第４の実施の形態に係るマッピング部がフレームレートが５０Ｐ−６０ＰのＮ倍であるＵＨＤＴＶ２クラスイメージに含まれる画素サンプルを、５０Ｐ−６０ＰのＮ倍であるＵＨＤＴＶ１クラスイメージにマッピングする処理イメージを示す説明図である。
【図２５】本開示の第５の実施の形態に係るマッピング部が、フレームレートが９６Ｐ−１２０Ｐである４０９６×２１６０クラスイメージに含まれる画素サンプルを、第１〜第８のサブイメージにマッピングする処理イメージを示す説明図である。
【図２６】モードＢの例を示す図である。
【図２７】本開示の第５の実施の形態に係るマッピング部が、第１〜第８のサブイメージをライン間引き、ワード間引きしてモードＢにマッピングする例を示す説明図である。
【図２８】コンピュータの構成例を示すブロック図である。
【発明を実施するための形態】
【００２６】
以下、本開示を実施するための最良の形態（以下実施の形態とする。）について説明する。なお、説明は以下の順序で行う。
１．次世代２ｋ、４ｋ、８ｋ映像信号
２．第１の実施の形態（ＵＨＤＴＶ１ ３８４０×２１６０／１００Ｐ−１２０Ｐ／４：４：４，４：２：２，４：２：０／１０ビット，１２ビット信号を伝送する例）
３．第２の実施の形態（ＵＨＤＴＶ２ ７６８０×４３２０／１００Ｐ−１２０Ｐ／４：４：４，４：２：２，４：２：０／１０ビット，１２ビット信号を伝送する例）
４．第３の実施の形態（ＵＨＤＴＶ１ ３８４０×２１６０／（５０Ｐ−６０Ｐ）×Ｎ／４：４：４，４：２：２，４：２：０／１０ビット，１２ビット信号を伝送する例）
５．第４の実施の形態（ＵＨＤＴＶ２，７６８０×４３２０／（５０Ｐ−６０Ｐ）×Ｎ／４：４：４，４：２：２，４：２：０／１０ビット，１２ビット信号を伝送する例）
６．第５の実施の形態（４０９６×２１６０／９６Ｐ−１２０Ｐ／４：４：４，４：２：２／１０ビット，１２ビット信号を伝送する例）
７．変形例
【００２７】
＜１．次世代２ｋ、４ｋ、８ｋ映像信号＞
まず、本開示の実施の形態について説明する前に次世代の２ｋ、４ｋ、８ｋ映像信号について説明する。
【００２８】
様々なフレームレートの映像信号を送受信するインタフェースとして、モードＤ（後述する図１５参照）として知られる伝送規格がＳＭＰＴＥ４３５−２に追加され、ＳＭＰＴＥ４３５−２−２００９として標準化が完了した。ＳＭＰＴＥ４３５−２には、１０．６９２Ｇｂｐｓのシリアルインタフェースに、ＳＭＰＴＥ２９２で規定された１０ビットのパラレルストリームをシリアル変換しスクランブルを掛けたＨＤ−ＳＤＩのデータを複数チャンネル多重処理することについて記載されている。通常、ＨＤ−ＳＤＩのフィールドは、ＥＡＶ、水平補助データスペース（ＨＡＮＣデータ、水平ブランキング期間ともいう）、ＳＡＶ、映像データの順に構成される。ＵＨＤＴＶ規格では、３８４０×２１６０／５０Ｐ−６０Ｐは２チャンネルの１０Ｇｂｐｓインタフェースで伝送し、７６８０×４３２０／５０Ｐ−６０Ｐは８チャンネルの１０Ｇｂｐｓインタフェースで伝送する方式がＳＭＰＴＥに提案された。この提案は、ＳＭＰＴＥ２０３６−３として規格の策定が行われている。
【００２９】
また、１９２０×１０８０の２倍又は４倍のサンプル数及びライン数を持つ３８４０×２１６０や７６８０×４３２０の映像信号に関する映像規格が、ＩＴＵやＳＭＰＴＥに提案されている。このうち、ＩＴＵで標準化されている映像規格はＬＳＤＩ（Large screen digital imagery）と呼ばれ、ＳＭＰＴＥに提案しているＵＨＤＴＶと呼ばれる。ＵＨＤＴＶに関しては、図１に示される映像信号が規定されている。
【００３０】
また、映画業界におけるデジタルカメラに採用される規格として、図２、図３に示されるように、２０４８×１０８０や４０９６×２１６０の信号規格がＳＭＰＴＥ２０４８−１，２として標準化されている。
【００３１】
［ＵＨＤＴＶ信号規格のサンプル構造の例］
ここで、ＵＨＤＴＶ信号規格のサンプル構造の例について、図４を参照して説明する。
【００３２】
図４は、３８４０×２１６０におけるＵＨＤＴＶ信号規格のサンプル構造の例を示す説明図である。図４のＡ〜図４のＢの説明に用いるフレームは、３８４０×２１６０で１フレームを構成する。
【００３３】
３８４０×２１６０における信号規格のサンプル構造は、以下の３種類がある。なお、ＳＭＰＴＥ規格において、Ｒ′Ｇ′Ｂ′のように、ダッシュ「′」をつけた信号は、ガンマ補正などが施された信号を示す。
【００３４】
図４のＡは、Ｒ′Ｇ′Ｂ′，Ｙ′Ｃｂ′Ｃｒ′ ４：４：４システムの例である。このシステムでは、全サンプルにＲＧＢ又はＹＣｂＣｒのコンポーネントが含まれる。
【００３５】
図４のＢは、Ｙ′Ｃｂ′Ｃｒ′ ４：２：２システムの例である。このシステムでは、偶数サンプルにＹＣｂＣｒ、奇数サンプルにＹのコンポーネントが含まれる。
【００３６】
図４のＣは、Ｙ′Ｃｂ′Ｃｒ′ ４：２：０システムの例である。このシステムでは、偶数ラインの偶数サンプルにＹＣｂＣｒ、偶数ラインの奇数サンプル及び奇数ラインの全サンプルにＹのコンポーネントが含まれる。
【００３７】
なお、以下、映像信号のフォーマットを、ｍ×ｎ／ａ−ｂ／ｒ：ｇ：ｂ／１０ビット，１２ビット信号で表す。ｍ×ｎは、水平方向のサンプル数（画素数）×垂直方向のライン数を表す。ａ−ｂは、１秒当りのフレーム数（フレームレート）を表す。ｒ，ｇ，ｂは、所定の信号伝送方式である場合における信号比率を表し、原色信号伝送方式である場合、赤信号Ｒ：緑信号Ｇ：青信号Ｂの比率を表し、色差信号伝送方式である場合、輝度信号Ｙ：第１色差信号Ｃｂ：第２色差信号Ｃｒの比率を表す。なお、以下、映像信号のフォーマットを、ｍ×ｎ／ａ−ｂ信号と略記する場合がある。
【００３８】
また、以下、プログレッシブ信号のフレームレートを表す５０Ｐ，５９．９４Ｐ，６０Ｐを、「５０Ｐ−６０Ｐ」、４７．９５Ｐ，４８Ｐ，５０Ｐ，５９．９４Ｐ，６０Ｐを「４８Ｐ−６０Ｐ」と略記する。さらに、１００Ｐ，１１９．８８Ｐ，１２０Ｐを、「１００Ｐ−１２０Ｐ」と略記し、９５．９Ｐ，９６Ｐ，１００Ｐ，１１９．８８Ｐ，１２０Ｐを、「９６Ｐ−１２０Ｐ」と略記する。また、インターレース信号のフレームレートを表す５０Ｉ，５９．９４Ｉ，６０Ｉを、「５０Ｉ−６０Ｉ」、４７．９５Ｉ，４８Ｉ，５０Ｉ，５９．９４Ｉ，６０Ｉを、「４８Ｉ−６０Ｉ」と略記する。
【００３９】
＜２．第１の実施の形態＞
［３８４０×２１６０／１００Ｐ−１２０Ｐ／４：４：４，４：２：２，４：２：０／１０ビット，１２ビット信号を伝送する例］
【００４０】
次に、本開示の第１の実施の形態について、図５〜図１８を参照して説明する。
【００４１】
第１の実施の形態では、３８４０×２１６０／１００Ｐ−１２０Ｐ／４：４：４，４：２：２，４：２：０／１０ビット，１２ビット信号の伝送が行われる。すなわち、ｍ×ｎが３８４０×２１６０、ａ−ｂが１００Ｐ−１２０Ｐ、ｒ：ｇ：ｂが４：４：４，４：２：２，４：２：０である映像信号の伝送が行われる。この信号のフレームレートは、ＳＭＰＴＥ２０３６−１で規定されるＵＨＤＴＶ１の３８４０×２１６０／５０Ｐ−６０Ｐ／４：４：４，４：２：２，４：２：０／１０ビット，１２ビット信号の倍である。
【００４２】
また、例えば、４：４：４信号の場合、１画素サンプルは、ワード長が１２ビットずつのＧデータ系列，Ｂデータ系列，Ｒデータ系列からなる３６ビットの信号となる。この信号の１フレーム期間は１／１００、１／１１９．８８、１／１２０秒であり、１フレーム期間内に２１６０の有効ライン期間が含まれている。このため、１フレームの画素数は、ＨＤフォーマットで規定された画素数を越える映像信号である。そして、映像信号に同期してオーディオ信号が入力される。
【００４３】
なお、この信号は、色域（Colorimetry）は異なったとしても、禁止コードなどデジタル信号形式は、ＳＭＰＴＥ２０３６−１で規定されるＵＨＤＴＶ１の映像信号と同じである。
【００４４】
また、以下、３８４０×２１６０／１００Ｐ−１２０Ｐ／４：４：４，４：２：２，４：２：０／１０ビット，１２ビット信号を、ＵＨＤＴＶ１クラスイメージ（１００Ｐ−１２０Ｐ）とも称する。
【００４５】
図５は、本実施の形態を適用したテレビジョン放送局用の信号伝送システム１０の全体構成を示す図である。この信号伝送システム１０は、同一構成としてある複数台の放送用カメラ１及びＣＣＵ（カメラコントロールユニット）２で構成されており、各放送用カメラ１が光ファイバーケーブル３でＣＣＵ２に接続されている。放送用カメラ１は、シリアル・デジタルデータ（映像信号）を送信する信号送信方法を適用した信号送信装置として用いられ、ＣＣＵ２は、シリアル・デジタルデータを受信する信号受信方法を適用した信号受信装置として用いられる。そして、放送用カメラ１とＣＣＵ２を組み合わせた伝送システム１０は、シリアル・デジタルデータを送受信する信号伝送システムとして用いられる。また、これらの装置で行われる処理はハードウエアが連携して行うだけでなく、プログラムを実行させることによっても実現することができる。
【００４６】
放送用カメラ１は、４ｋ×２ｋのＵＨＤＴＶ１クラスイメージ（１００Ｐ−１２０Ｐ）を生成し、ＣＣＵ２に送信する。
【００４７】
ＣＣＵ２は、各放送用カメラ１を制御したり、各放送用カメラ１から映像信号を受信したり、各放送用カメラ１のモニタに他の放送用カメラ１で撮影中の映像を表示させるための映像信号（リターンビデオ）を送信したりする。ＣＣＵ２は、各放送用カメラ１から映像信号を受信する信号受信装置として機能する。
【００４８】
図６は、放送用カメラ１の回路構成のうち、本実施の形態に関連する信号送信装置を示すブロック図である。放送用カメラ１内の撮像部及び映像信号処理部（図示略）によって生成されたＵＨＤＴＶ１クラスイメージ（１００Ｐ−１２０Ｐ）が、マッピング部１１に送られる。
【００４９】
マッピング部１１は、ＵＨＤＴＶ１クラスイメージ（１００Ｐ−１２０Ｐ）を、ＨＤ−ＳＤＩフォーマットで規定された３２チャンネルのデータストリーム（以下、単にＨＤ−ＳＤＩと称する場合がある）にマッピングする。
【００５０】
［マッピング部の内部構成］
ここで、マッピング部１１の内部構成について説明する。
【００５１】
図７は、マッピング部１１の内部構成例を示す。
【００５２】
マッピング部１１は、各部にクロックを供給するクロック供給回路２０と、３８４０×２１６０／１００Ｐ−１２０Ｐの映像信号（ＵＨＤＴＶ１クラスイメージ（１００Ｐ−１２０Ｐ））を記憶するＲＡＭ２２を備える。また、マッピング部１１は、ＲＡＭ２２に記憶されているＵＨＤＴＶ１クラスイメージ（１００Ｐ−１２０Ｐ）の２画素間引き（インタリーブ）を制御する２画素間引き制御部２１を備える。また、ＵＨＤＴＶ１クラスイメージ（１００Ｐ−１２０Ｐ）から間引かれた画素サンプルを第１〜第８のサブイメージとして記憶するＲＡＭ２３−１〜２３−８を備える。
【００５３】
なお、第１〜第８のサブイメージは、ＳＭＰＴＥ２７４で規定される１９２０×１０８０／５０Ｐ−６０Ｐ／４：４：４，４：２：２，４：２：０／１０ビット，１２ビット信号により構成される。従って、第１〜第８のサブイメージにおいては、ｍ′×ｎ′が１９２０×１０８０であり、ａ′−ｂ′が５０Ｐ−６０Ｐであり、ｒ′：ｇ′：ｂ′が４：４：４，４：２：２，４：２：０である。
【００５４】
また、マッピング部１１は、ＲＡＭ２３−１〜２３−８に記憶されている第１〜第８のサブイメージのライン間引きを制御するライン間引き制御部２４−１〜２４−８を備える。また、マッピング部１１は、ライン間引き制御部２４−１〜２４−８が間引いたラインを記憶するＲＡＭ２５−１〜２５−１６を備える。
【００５５】
また、マッピング部１１は、ＲＡＭ２５−１〜２５−１６に記憶されているデータのワード間引きを制御するワード間引き制御部２６−１〜２６−１６を備える。また、マッピング部１１は、ワード間引き制御部２６−１〜２６−１６が間引いたワードを記憶するＲＡＭ２７−１〜２７−３２を備える。
【００５６】
また、マッピング部１１は、ＲＡＭ２７−１〜２７−３２から読出したワードを３２チャンネルのＨＤ−ＳＤＩとして出力する読出し制御部２８−１〜２８−３２を備える。
【００５７】
なお、図７には、ＨＤ−ＳＤＩ１，２を生成する処理ブロックを記載したが、ＨＤ−ＳＤＩ３〜３２を生成するブロックも同様の構成例としているため、図示と詳細な説明を省略する。
【００５８】
また、図７には、３種類のメモリ（ＲＡＭ２３−１〜２３−８、ＲＡＭ２５−１〜２５−１６、ＲＡＭ２７−１〜２７−３２）を用いて、２画素間引き、ライン間引き、及びワード間引きの３段階の間引き処理を行う例を示しているが、３種類のメモリのうちの２種類以上を共通化することも可能である。
【００５９】
［マッピング部の動作例］
次に、マッピング部１１の動作例を説明する。なお、以下の説明で、第１フレームのＵＨＤＴＶ１クラスイメージ（１００Ｐ−１２０Ｐ）を第１のクラスイメージと称し、第２フレームのＵＨＤＴＶ１クラスイメージ（１００Ｐ−１２０Ｐ）を第２のクラスイメージと称する。
【００６０】
始めに、クロック供給回路２０は、２画素間引き制御部２１、ライン間引き制御部２４−１〜２４−８、ワード間引き制御部２６−１〜２６−１６、及び読出し制御部２８−１〜２８−３２にクロックを供給する。これらのクロックは、画素サンプルの読み出し又は書き込みに用いられ、これらのクロックにより各部が同期する。
【００６１】
そして、不図示のイメージセンサから入力されるＵＨＤＴＶ１クラスイメージ（１００Ｐ−１２０Ｐ）は、ＲＡＭ２２に記憶される。
【００６２】
２画素間引き制御部２１は、図８に示されるように、ＵＨＤＴＶ１クラスイメージ（１００Ｐ−１２０Ｐ）の連続する２フレームから（２フレーム単位で）、４ライン間隔で各ラインの隣り合う２つの画素サンプルのペアを１つ置きに間引いて第１〜第８のサブイメージにマッピングする。
【００６３】
なお、図８に示されるように、ＵＨＤＴＶ１クラスイメージ（１００Ｐ−１２０Ｐ）のサンプル番号及びライン番号は０からスタートする。従って、ＵＨＤＴＶ１クラスイメージ（１００Ｐ−１２０Ｐ）の有効領域には、０サンプルから３８３９サンプルまでの合計３８４０サンプルと、０ラインから２１５９ラインまでの合計２１６０ラインが存在する。一方、サブイメージのサンプル番号は０からスタートし、ライン番号は１からスタートする。従って、サブイメージには、０サンプルから２１９９サンプルまでの合計２２００サンプルと、１ラインから１１２５ラインまでの合計１１２５ラインが存在する。ただし、サブイメージの１ライン当たりのサンプル数は、一例であり、映像信号のシステムによって変動する。
【００６４】
ここで、さらに図９も参照して、第１及び第２のクラスイメージから第１〜第８のサブイメージへの画素サンプルのマッピング方法の詳細について説明する。
【００６５】
図９は、各サブイメージのフォーマットの例を示している。このフォーマットは、ＳＭＰＴＥ２７４Ｍで規定されている１９２０×１０８０／５０Ｐ−６０Ｐ信号のフォーマットとほぼ同様である。ただし、垂直ブランキング領域と映像データ領域の配置が異なっている。
【００６６】
図９内の上方にはサンプル番号が示されている。ｏで示される位置のサンプル番号は０であり、pで示される位置のサンプル番号は１９１９である。そして、この１９２０サンプルの領域に、垂直ブランキング領域及び映像データ領域が配置され、第１及び第２のクラスイメージの画素サンプルがマッピングされる。
【００６７】
また、ａで示される第１９２０サンプルからｄで示される第１９２３サンプルまでの４サンプルの領域に、ＥＡＶ領域が配置される。さらに、ｅで示される第１９２４サンプルからkで示されるサンプルの手前までの領域に、ＨＡＮＣデータ領域が配置される。このｋの値は、サブイメージのマッピング元となるＵＨＤＴＶ１クラスイメージのシステムにより変動する。すなわち、元のＵＨＤＴＶ１クラスイメージが４ｋの１２０Ｐの場合、ｋの値は２１９６となり、４ｋの１００Ｐの場合、ｋの値は２６３６となり、４ｋの９６Ｐの場合、ｋの値は２７４６となる。また、ｋで示されるサンプルからｎで示されるサンプルまでの４サンプルの領域に、ＳＡＶ領域が配置される。
【００６８】
そして、２画素間引き制御部２１は、以下のようにして、第１及び第２のクラスイメージの画素サンプルを第１〜第８のサブイメージにマッピングする。
【００６９】
まず、第１〜第８のサブイメージの先頭の第１ラインから第２１ラインまでの２１ラインの領域に、垂直ブランキング領域が設けられる。
【００７０】
次に、第１のクラスイメージの第４ｇ＋ｈライン（ｇ＝０〜５３９，ｈ＝０〜３）の第４ｉ＋２ｊサンプル及び第４ｉ＋２ｊ＋１サンプル（ｉ＝０〜９５９，ｊ＝０〜１）の画素サンプルが、第２ｈ＋ｊ＋１のサブイメージの第ｇ＋２２ラインの第２ｉサンプル及び第２ｉ＋１サンプルにマッピングされる。
【００７１】
例えば、第１のクラスイメージの第０ラインから４ライン間隔で、各ラインの先頭からライン方向に隣接する２つの画素サンプルのペアが順に抽出され、交互に第１のサブイメージと第２のサブイメージにマッピングされる。すなわち、第１のクラスイメージの第０ライン、第４ライン、第８ライン、・・・、第２１５６ラインの第０サンプル、第１サンプル、第４サンプル、第５サンプル、第８サンプル、第９サンプル、・・・、第３８３６サンプル、第３８３７サンプルが、第１のサブイメージの第２２ラインから第５６１ラインの第０サンプルから第１９１９サンプルまでの領域にマッピングされる。また、第１のクラスイメージの第０ライン、第４ライン、第８ライン、・・・、第２１５６ラインの第２サンプル、第３サンプル、第６サンプル、第７サンプル、第１０サンプル、第１１サンプル、・・・、第３８３８サンプル、第３８３９サンプルが、第２のサブイメージの第２２ラインから第５６１ラインの第０サンプルから第１９１９サンプルまでの領域にマッピングされる。
【００７２】
同様に、第１のクラスイメージの第１ラインから４ライン間隔で、各ラインの先頭からライン方向に隣接する２つの画素サンプルのペアが順に抽出され、交互に第３のサブイメージと第４のサブイメージにマッピングされる。すなわち、第１のクラスイメージの第１ライン、第５ライン、第９ライン、・・・、第２１５７ラインの第０サンプル、第１サンプル、第４サンプル、第５サンプル、第８サンプル、第９サンプル、・・・、第３８３６サンプル、第３８３７サンプルが、第３のサブイメージの第２２ラインから第５６１ラインの第０サンプルから第１９１９サンプルまでの領域にマッピングされる。また、第１のクラスイメージの第１ライン、第５ライン、第９ライン、・・・、第２１５７ラインの第２サンプル、第３サンプル、第６サンプル、第７サンプル、第１０サンプル、第１１サンプル、・・・、第３８３８サンプル、第３８３９サンプルが、第４のサブイメージの第２２ラインから第５６１ラインの第０サンプルから第１９１９サンプルまでの領域にマッピングされる。
【００７３】
また、第１のクラスイメージの第２ラインから４ライン間隔で、各ラインの先頭からライン方向に隣接する２つの画素サンプルのペアが順に抽出され、交互に第５のサブイメージと第６のサブイメージにマッピングされる。すなわち、第１のクラスイメージの第２ライン、第６ライン、第１０ライン、・・・、第２１５８ラインの第０サンプル、第１サンプル、第４サンプル、第５サンプル、第８サンプル、第９サンプル、・・・、第３８３６サンプル、第３８３７サンプルが、第５のサブイメージの第２２ラインから第５６１ラインの第０サンプルから第１９１９サンプルまでの領域にマッピングされる。また、第１のクラスイメージの第２ライン、第６ライン、第１０ライン、・・・、第２１５８ラインの第２サンプル、第３サンプル、第６サンプル、第７サンプル、第１０サンプル、第１１サンプル、・・・、第３８３８サンプル、第３８３９サンプルが、第６のサブイメージの第２２ラインから第５６１ラインの第０サンプルから第１９１９サンプルまでの領域にマッピングされる。
【００７４】
さらに、第１のクラスイメージの第３ラインから４ライン間隔で、各ラインの先頭からライン方向に隣接する２つの画素サンプルのペアが順に抽出され、交互に第７のサブイメージと第８のサブイメージにマッピングされる。すなわち、第１のクラスイメージの第３ライン、第７ライン、第１１ライン、・・・、第２１５９ラインの第０サンプル、第１サンプル、第４サンプル、第５サンプル、第８サンプル、第９サンプル、・・・、第３８３６サンプル、第３８３７サンプルが、第７のサブイメージの第２２ラインから第５６１ラインの第０サンプルから第１９１９サンプルまでの領域にマッピングされる。また、第１のクラスイメージの第３ライン、第７ライン、第１１ライン、・・・、第２１５９ラインの第２サンプル、第３サンプル、第６サンプル、第７サンプル、第１０サンプル、第１１サンプル、・・・、第３８３８サンプル、第３８３９サンプルが、第８のサブイメージの第２２ラインから第５６１ラインの第０サンプルから第１９１９サンプルまでの領域にマッピングされる。
【００７５】
次に、第１〜第８のサブイメージの第５６２ラインから第５８３ラインまでの２２ラインの領域に、垂直ブランキング領域が設けられる。
【００７６】
次に、第２のクラスイメージの第４ｇ＋ｈライン（ｇ＝０〜５３９，ｈ＝０〜３）の第４ｉ＋２ｊサンプル及び第４ｉ＋２ｊ＋１サンプル（ｉ＝０〜９５９，ｊ＝０〜１）の画素サンプルが、第２ｈ＋ｊ＋１のサブイメージの第ｇ＋５８４ラインの第２ｉサンプル及び第２ｉ＋１サンプルにマッピングされる。
【００７７】
例えば、第２のクラスイメージの第０ラインから４ライン間隔で、各ラインの先頭からライン方向に隣接する２つの画素サンプルのペアが順に抽出され、交互に第１のサブイメージと第２のサブイメージにマッピングされる。すなわち、第２のクラスイメージの第０ライン、第４ライン、第８ライン、・・・、第２１５６ラインの第０サンプル、第１サンプル、第４サンプル、第５サンプル、第８サンプル、第９サンプル、・・・、第３８３６サンプル、第３８３７サンプルが、第１のサブイメージの第５８４ラインから第１１２３ラインの第０サンプルから第１９１９サンプルまでの領域にマッピングされる。また、第２のクラスイメージの第０ライン、第４ライン、第８ライン、・・・、第２１５６ラインの第２サンプル、第３サンプル、第６サンプル、第７サンプル、第１０サンプル、第１１サンプル、・・・、第３８３８サンプル、第３８３９サンプルが、第２のサブイメージの第５８４ラインから第１１２３ラインの第０サンプルから第１９１９サンプルまでの領域にマッピングされる。
【００７８】
同様に、第２のクラスイメージの第１ラインから４ライン間隔で、各ラインの先頭からライン方向に隣接する２つの画素サンプルのペアが順に抽出され、交互に第３のサブイメージと第４のサブイメージにマッピングされる。すなわち、第２のクラスイメージの第１ライン、第５ライン、第９ライン、・・・、第２１５７ラインの第０サンプル、第１サンプル、第４サンプル、第５サンプル、第８サンプル、第９サンプル、・・・、第３８３６サンプル、第３８３７サンプルが、第３のサブイメージの第５８４ラインから第１１２３ラインの第０サンプルから第１９１９サンプルまでの領域にマッピングされる。また、第２のクラスイメージの第１ライン、第５ライン、第９ライン、・・・、第２１５７ラインの第２サンプル、第３サンプル、第６サンプル、第７サンプル、第１０サンプル、第１１サンプル、・・・、第３８３８サンプル、第３８３９サンプルが、第４のサブイメージの第５８４ラインから第１１２３ラインの第０サンプルから第１９１９サンプルまでの領域にマッピングされる。
【００７９】
また、第２のクラスイメージの第２ラインから４ライン間隔で、各ラインの先頭からライン方向に隣接する２つの画素サンプルのペアが順に抽出され、交互に第５のサブイメージと第６のサブイメージにマッピングされる。すなわち、第２のクラスイメージの第２ライン、第６ライン、第１０ライン、・・・、第２１５８ラインの第０サンプル、第１サンプル、第４サンプル、第５サンプル、第８サンプル、第９サンプル、・・・、第３８３６サンプル、第３８３７サンプルが、第５のサブイメージの第５８４ラインから第１１２３ラインの第０サンプルから第１９１９サンプルまでの領域にマッピングされる。また、第２のクラスイメージの第２ライン、第６ライン、第１０ライン、・・・、第２１５８ラインの第２サンプル、第３サンプル、第６サンプル、第７サンプル、第１０サンプル、第１１サンプル、・・・、第３８３８サンプル、第３８３９サンプルが、第６のサブイメージの第５８４ラインから第１１２３ラインの第０サンプルから第１９１９サンプルまでの領域にマッピングされる。
【００８０】
さらに、第２のクラスイメージの第３ラインから４ライン間隔で、各ラインの先頭からライン方向に隣接する２つの画素サンプルのペアが順に抽出され、交互に第７のサブイメージと第８のサブイメージにマッピングされる。すなわち、第２のクラスイメージの第３ライン、第７ライン、第１１ライン、・・・、第２１５９ラインの第０サンプル、第１サンプル、第４サンプル、第５サンプル、第８サンプル、第９サンプル、・・・、第３８３６サンプル、第３８３７サンプルが、第７のサブイメージの第５８４ラインから第１１２３ラインの第０サンプルから第１９１９サンプルまでの領域にマッピングされる。また、第２のクラスイメージの第３ライン、第７ライン、第１１ライン、・・・、第２１５９ラインの第２サンプル、第３サンプル、第６サンプル、第７サンプル、第１０サンプル、第１１サンプル、・・・、第３８３８サンプル、第３８３９サンプルが、第８のサブイメージの第５８４ラインから第１１２３ラインの第０サンプルから第１９１９サンプルまでの領域にマッピングされる。
【００８１】
さらに、第１〜第８のサブイメージの第１１２４ラインから第１１２５ラインまでの２ラインの領域に、垂直ブランキング領域が設けられる。
【００８２】
なお、２画素間引き制御部２１は、ＵＨＤＴＶ１クラスイメージ（１００Ｐ−１２０Ｐ）が４：２：０信号の場合、Ｃｒチャンネルにデフォルト値である２００ｈ（１０ビットシステム）、８００ｈ（１２ビットシステム）をマッピングする。これにより、４：２：０信号が４：２：２信号と同等に扱われるようになる。
【００８３】
また、垂直ブランキング領域には、例えば、ＳＭＰＴＥ２７４に規定されているデフォルト値が設定される。このデフォルト値は、Ｙ，Ｒ，Ｇ，Ｂが１０ビットの場合４０ｈ（６４）、１２ビットの場合１００ｈ（２５６）、Ｃｂ，Cｒが１０ビットの場合２００ｈ（５１２），１２ビットの場合８００ｈ（２０４８）である。
【００８４】
以上のように、ＵＨＤＴＶ１クラスイメージ（１００Ｐ−１２０Ｐ）の連続する２フレームから、４ライン間隔で各ラインの隣り合う２つの画素サンプルのペアが１つ置きに間引かれて、第１〜第８のサブイメージにマッピングされる。
【００８５】
また、第１〜第８のサブイメージ内において、第１のクラスイメージの映像データ領域と第２のクラスイメージの映像データ領域の間に所定の間隔（垂直ブランキング領域）が設けられる。これにより、各サブイメージの先頭の垂直ブランキング領域だけでなく、第１のクラスイメージの映像データ領域と第２のクラスイメージの映像データ領域の間の垂直ブランキング領域にも映像の切り替えを行うためのスイッチングポイントを設けることができる。
【００８６】
例えば、第１のクラスイメージの映像データ領域と第２のクラスイメージの映像データ領域の間に垂直ブランキング領域を設けない場合、第１のクラスイメージと第２のクラスイメージとの間にスイッチングポイントを設けることができない。従って、最大でＵＨＤＴＶ１クラスイメージ（１００Ｐ−１２０Ｐ）の１／２のフレームレートでしか映像の切り替えを行うことができない。
【００８７】
一方、本実施の形態では、第１のクラスイメージの映像データ領域と第２のクラスイメージの映像データ領域の間に垂直ブランキング領域が設けられる。これにより、ＵＨＤＴＶ１クラスイメージ（１００Ｐ−１２０Ｐ）と同じフレーム単位で、映像を壊すことなく映像の切り替えを行うことが可能になる。
【００８８】
また、第１のクラスイメージの映像データ領域と第２のクラスイメージの映像データ領域の間に垂直ブランキング領域を設けることにより、マッピング時の遅延を抑制することができる。これについて、図１０を参照して説明する。
【００８９】
図１０は、２フレームのＵＨＤＴＶ１クラスイメージ（１００Ｐ−１２０Ｐ）をサブイメージにマッピングする場合に、フレーム間に垂直ブランキング領域を挿入しない場合と挿入する場合を比較するための模式図である。なお、ＵＨＤＴＶ１クラスイメージ（１００Ｐ−１２０Ｐ）の先頭の第１ライン〜第８２ライン、及び、末尾の第２２４３ライン〜第２２５０ラインに垂直ブランキング領域が設けられているものとする。
【００９０】
例えば、図１０の中央に示されるように、フレーム間に垂直ブランキング領域を挿入しない場合、第１のクラスイメージの映像データ領域のマッピング後に、第２のクラスイメージの映像データをマッピングするまでの間に遅延が発生する。この遅延時間は、第１のクラスイメージの映像データ領域が終了してから、第２のクラスイメージの映像データが始まるまでの期間、すなわち、ＵＨＤＴＶ１クラスイメージ（１００Ｐ−１２０Ｐ）の９０ライン分に相当する。従って、この９０ライン分の画素サンプルを保持するためのメモリが必要になる。
【００９１】
一方、図１０の右側に示されるように、フレーム間に垂直ブランキング領域を挿入した場合、第１のクラスイメージの映像データ領域のマッピング後に、第２のクラスイメージの映像データをマッピングするまでの間に遅延が発生しない。従って、マッピングの処理単位となるＵＨＤＴＶ１クラスイメージ（１００Ｐ−１２０Ｐ）の約４ライン分の画素サンプルを保持するためのメモリのみが必要となる。
【００９２】
そして、第１〜第８のサブイメージは、それぞれＲＡＭ２３−１〜２３−８に記憶される。
【００９３】
続いて、図１１に示されるように、ＳＭＰＴＥ４３５−１のＦｉｇｕｒｅ２等の規定に従って、第１〜第８のサブイメージのライン間引きが行われ、さらにワード間引きが行われる。
【００９４】
具体的には、まず、ライン間引き制御部２４−１〜２４−８は、図１２に示されるように、ＳＭＰＴＥ３７２のＦｉｇｕｒｅ２等に規定される方式に従って、ＲＡＭ２３−１〜２３−８に記憶されている第１〜第８のサブイメージ（１９２０×１０８０／５０Ｐ−６０Ｐ／４：４：４，４：２：２／１０ビット，１２ビット信号）を、１ライン置きに間引く。これにより、各サブイメージからそれぞれリンクＡとリンクＢの２チャンネルのインターレース信号（１９２０×１０８０／５０Ｉ−６０Ｉ／４：４：４，４：２：２，４：２：０／１０ビット，１２ビット信号）が生成される。これにより、プログレッシブ信号であるサブイメージがインターレース信号に変換される。なお、１９２０×１０８０／５０Ｉ−６０Ｉ／４：４：４，４：２：２，４：２：０／１０ビット，１２ビット信号は、ＳＭＰＴＥ２７４Ｍで定義される信号であり、現行の測定器で観測可能である。
【００９５】
なお、図１２の左側のリンクＡとリンクＢの中に示されている番号は、図９に示される元のサブイメージのライン番号を示している。また、図１２の右側のライン番号は、サブイメージのライン間引きを行った後のインターレース信号のライン番号を示している。
【００９６】
ここで、例えば、第１のサブイメージのフレームｉとフレームｉ＋１の連続するフレームをリンクＡとリンクＢの２チャンネルのインターレース信号に分離する場合について説明する。
【００９７】
リンクＡの第１ラインから第５６２ラインまでの範囲には、第１のサブイメージのフレームｉの偶数ラインが割り当てられる。そのうち、第１１ラインから第２８０ラインまでの範囲には、第１のサブイメージのフレームｉの前半の映像データ領域（すなわち、第１のクラスイメージの画素サンプルがマッピングされた領域）が割り当てられる。第２９２ラインから第５６１ラインまでの範囲には、第１のサブイメージのフレームｉの後半の映像データ領域（すなわち、第２のクラスイメージの画素サンプルがマッピングされた領域）が割り当てられる。第１ラインから第１０ラインまで、第２８１ラインから第２９１ラインまで、及び、第５６２ラインの範囲には、第１のサブイメージのフレームｉの垂直ブランキング領域が割り当てられる。
【００９８】
また、リンクＡの第５６３ラインから第１１２５ラインまでの範囲には、第１のサブイメージのフレームｉ＋１の奇数ラインが割り当てられる。そのうち、第５７４ラインから第８４３ラインまでの範囲には、第１のサブイメージのフレームｉ＋１の前半の映像データ領域（すなわち、第１のクラスイメージの画素サンプルがマッピングされた領域）が割り当てられる。第８５５ラインから第１１２４ラインまでの範囲には、第１のサブイメージのフレームｉ＋１の後半の映像データ領域（すなわち、第２のクラスイメージの画素サンプルがマッピングされた領域）が割り当てられる。第５６３ラインから第５７３ラインまで、第８４４ラインから第８５４ラインまで、及び、第１１２５ラインの範囲には、第１のサブイメージのフレームｉ＋１の垂直ブランキング領域が割り当てられる。
【００９９】
リンクＢの第１ラインから第５６２ラインまでの範囲には、第１のサブイメージのフレームｉの奇数ラインが割り当てられる。そのうち、第１１ラインから第２８０ラインまでの範囲には、第１のサブイメージのフレームｉの前半の映像データ領域（すなわち、第１のクラスイメージの画素サンプルがマッピングされた領域）が割り当てられる。第２９２ラインから第５６１ラインまでの範囲には、第１のサブイメージのフレームｉの後半の映像データ領域（すなわち、第２のクラスイメージの画素サンプルがマッピングされた領域）が割り当てられる。第１ラインから第１０ラインまで、第２８１ラインから第２９１ラインまで、及び、第５６２ラインの範囲には、第１のサブイメージのフレームｉの垂直ブランキング領域が割り当てられる。
【０１００】
また、リンクＢの第５６３ラインから第１１２４ラインまでの範囲には、第１のサブイメージのフレームｉ＋１の偶数ラインが割り当てられる。そのうち、第５７３ラインから第８４２ラインまでの範囲には、第１のサブイメージのフレームｉ＋１の前半の映像データ領域（すなわち、第１のクラスイメージの画素サンプルがマッピングされた領域）が割り当てられる。第８５４ラインから第１１２３ラインまでの範囲には、第１のサブイメージのフレームｉ＋１の後半の映像データ領域（すなわち、第２のクラスイメージの画素サンプルがマッピングされた領域）が割り当てられる。第５６３ラインから第５７２ラインまで、第８４３ラインから第８５３ラインまで、及び、第１１２４ラインの範囲には、第１のサブイメージのフレームｉ＋１の垂直ブランキング領域が割り当てられる。なお、リンクＢの第１１２５ラインには、第１のサブイメージのフレームｉ＋２の第１ラインが割り当てられる。
【０１０１】
そして、リンクＡ及びリンクＢの第１ラインから第１０ラインまでの間、及び、第５６２ラインから第５７２ラインまでの間にスイッチングポイントを設け、映像の切り替えを行うことができる。加えて、リンクＡ及びリンクＢの第２８１ラインから第２９１ラインまでの間、及び、第８４４ラインから第８５３ラインまでの間にもスイッチングポイントを設け、映像の切り替えを行うことができる。これにより、ＵＨＤＴＶ１クラスイメージ（１００Ｐ−１２０Ｐ）と同じフレーム単位で映像の切り替えを行うことが可能になる。
【０１０２】
そして、ライン間引き制御部２４−１〜２４−８は、第１〜第８のサブイメージから１ラインおきに間引いてインターレース信号とした１９２０×１０８０／５０Ｉ−６０Ｉ信号をＲＡＭ２５−１〜２５−１６に書き込む。
【０１０３】
次に、ワード間引き制御部２６−１〜２６−１６は、ＲＡＭ２５−１〜２５−１６に記憶されている１９２０×１０８０／５０Ｉ−６０Ｉ信号をワード毎に間引く。具体的には、ワード間引き制御部２６−１〜２６−１６は、ライン間引きされた信号が４：４：４の１０ビット、１２ビットあるいは４：２：２の１２ビット信号である場合、ＳＭＰＴＥ３７２のＦｉｇｕｒｅ４，６，７，８，９と同じ方式でワード間引きを行う。ここで、ワード間引き制御部２６−１〜２６−１６は、１９２０×１０８０／５０Ｉ−６０Ｉ信号を、以下のようにリンクＡ，Ｂ（２チャンネルのＨＤ−ＳＤＩ）にマッピングする。
【０１０４】
図１３は、ＳＭＰＴＥ３７２によるリンクＡ，Ｂのデータ構造の例を示す。図１３のＡに示すように、リンクＡは、１サンプルが２０ビットであり、全てのビットがＲＧＢの値を表している。図１３のＢに示すように、リンクＢも、１サンプルが２０ビットであるが、１０ビットのＲ′Ｇ′Ｂ′ｎ：０−１のうち、ビットナンバー２〜７の６ビットのみがＲＧＢの値を表している。したがって１サンプル中でＲＧＢの値を表しているビット数は１６ビットである。
【０１０５】
これにより、ＲＡＭ２５−１〜２５−１６に記憶されている１６チャンネルの１９２０×１０８０／５０Ｉ−６０Ｉ信号から、３２チャンネルのＨＤ−ＳＤＩが生成される。そして、３２チャンネルのＨＤ−ＳＤＩがＲＡＭ２７−１〜２７−３２に記憶される。
【０１０６】
なお、ライン間引きされた信号が４：２：２の１０ビット信号の場合、ワード間引き制御部２６−１〜２６−１６は、リンクＢを使用せず、１９２０×１０８０／５０Ｉ−６０Ｉ信号をチンクＡにのみマッピングする。従って、この場合、１６チャンネルのＨＤ−ＳＤＩが生成される。
【０１０７】
そして、読出し制御部２８−１〜２８−３２は、クロック供給回路２０から供給された基準クロックに従って、ＲＡＭ２７−１〜２７−３２から画素サンプルを読出す。そして、読出し制御部２８−１〜２８−３２は、３２チャンネルのＨＤ−ＳＤＩ１〜３２を、後続のＳ／Ｐ・スクランブル・８Ｂ／１０Ｂ部１２に出力する。
【０１０８】
このようにして、マッピング部１１は、ＵＤＨＴＶ１クラスイメージ（１００Ｐ−１２０Ｐ）から３２チャンネルのＨＤ−ＳＤＩを生成する。これにより、ＵＤＨＴＶ１クラスイメージ（１００Ｐ−１２０Ｐ）を、合計３２チャンネルのＨＤ−ＳＤＩで伝送することができる。なお、ＵＤＨＴＶ１クラスイメージ（１００Ｐ−１２０Ｐ）が４：２：２／１０ビット信号の場合には１６チャンネルのＨＤ−ＳＤＩで伝送することが可能である。
【０１０９】
そして、Ｓ／Ｐ・スクランブル・８Ｂ／１０Ｂ部１２以降において、３２チャンネルのＨＤ−ＳＤＩ１〜３２が、４チャンネルのモードＤで規定される１０．６９２Ｇｂｐｓの伝送ストリームに多重して伝送される。この多重方式には、例えば、特開２００８−０９９１８９号公報に開示された方式が用いられる。
【０１１０】
［１０．６９２Ｇｂｐｓのシリアルデータの構成例］
ここで、１０．６９２Ｇｂｐｓのシリアルデータ（以下、１０Ｇ−ＳＤＩとも称する）の１ラインの構成例について、図１４を参照して説明する。
【０１１１】
図１４は、フレームレートが２４Ｐである場合における１０Ｇ−ＳＤＩの１ライン分のデータ構造例を示す。
【０１１２】
この図では、ライン番号ＬＮ及び誤り検出符号ＣＲＣを含めたものをＥＡＶ，アクティブライン及びＳＡＶとして示し、付加データの領域を含めたものを水平補助データスペースとして示している。水平補助データスペースには、オーディオ信号がマッピングされており、オーディオ信号に補完データを追加して水平補助データスペースを構成することによって、入力されたＨＤ−ＳＤＩと同期を取ることができる。
【０１１３】
［モードＤの説明］
次に、ＳＭＰＴＥ４３５−２にモードＤとして規定される、複数チャンネルのＨＤ−ＳＤＩを多重化して、１０Ｇ−ＳＤＩを生成する方法について、図１５を参照して説明する。
【０１１４】
図１５は、モードＤの説明図である。
【０１１５】
モードＤは、８チャンネル（ＣＨ１〜ＣＨ８）のＨＤ−ＳＤＩを多重化する方式であり、１０Ｇ−ＳＤＩの映像データ領域と水平補助データスペースのそれぞれにデータが多重される。このとき、ＣＨ１，ＣＨ３，ＣＨ５，ＣＨ７のＨＤ−ＳＤＩの映像／ＥＡＶ／ＳＡＶデータが４０ビット抽出され、スクランブルされて４０ビットのデータに変換される。一方、ＣＨ２，ＣＨ４，ＣＨ６，ＣＨ８のＨＤ−ＳＤＩの映像／ＥＡＶ／ＳＡＶデータが３２ビット抽出され、８Ｂ／１０Ｂ変換によって、４０ビットのデータとされる。各データは足し合わされ、８０ビットのデータとされる。このエンコードされた８ワード（８０ビット）のデータが１０Ｇ−ＳＤＩの映像データ領域に多重される。
【０１１６】
このとき、８０ビットのデータブロックのうち、前半の４０ビットのデータブロックには、偶数チャンネルの８Ｂ／１０Ｂ変換された４０ビットのデータブロックが割り当てられる。そして、後半の４０ビットのデータブロックには、奇数チャンネルのスクランブルされた４０ビットのデータブロックが割り当てられる。このため、１つのデータブロックには、例えば、ＣＨ２，ＣＨ１の順にデータブロックが多重される。このように順番を入れ替えている理由は、使用するモードを識別するためのコンテンツＩＤが、８Ｂ／１０Ｂ変換された偶数チャンネルの４０ビットのデータブロックに含まれるためである。
【０１１７】
一方、ＣＨ１のＨＤ−ＳＤＩの水平補助データスペースは、８Ｂ／１０Ｂ変換されて、５０ビットのデータブロックにエンコードされ、１０Ｇ−ＳＤＩの水平補助データスペースに多重される。ただし、ＣＨ２〜ＣＨ８のＨＤ−ＳＤＩの水平補助データスペースは伝送されない。
【０１１８】
［Ｓ／Ｐ・スクランブル・８Ｂ／１０Ｂ部１２以降の動作］
次に、放送用カメラ１のＳ／Ｐ・スクランブル・８Ｂ／１０Ｂ部１２以降の動作について説明する。
【０１１９】
マッピング部１１によってマッピングされたＣＨ１〜ＣＨ３２のＨＤ−ＳＤＩは、図６に示すようにＳ／Ｐ・スクランブル・８Ｂ／１０Ｂ部１２に送られる。そして、スクランブル又は８Ｂ／１０Ｂ変換された４０ビット幅又は５０ビット幅のパラレル・デジタルデータは、ＰＬＬ１３から受け取る３７．１２５ＭＨｚのクロックによって不図示のＦＩＦＯメモリに書き込まれる。その後、ＰＬＬ１３から受け取る８３．５３１２ＭＨｚのクロックによって４０ビット幅又は５０ビット幅のままＦＩＦＯメモリから読み出されて、多重部１４に送られる。
【０１２０】
図１６は、多重部１４が行うデータの多重処理の例を示す。
【０１２１】
図１６のＡは、スクランブル又は８Ｂ／１０Ｂ変換されたＣＨ１〜ＣＨ８の各４０ビットのデータが、ＣＨ１とＣＨ２、ＣＨ３とＣＨ４、ＣＨ５とＣＨ６、ＣＨ７とＣＨ８のペアの順番が入れ替えられて、３２０ビット幅に多重される様子を示す。
【０１２２】
このように、８Ｂ／１０Ｂ変換されたデータが、自己同期型スクランブルを掛けたデータの間に４０ビット毎に挟まれている。これにより、スクランブル方式によるマーク率（０と１の割合）変動や、０−１、１−０の遷移の不安定さを解消し、パソロジカルパターンの発生を防止することができる。
【０１２３】
図１６のＢは、８Ｂ／１０Ｂ変換されたＣＨ１の水平ブランキング期間の５０ビットのデータの４サンプル分が、２００ビット幅の４サンプルに多重される様子を示す。
【０１２４】
多重部１４によって多重された３２０ビット幅のパラレル・デジタルデータと２００ビット幅のパラレル・デジタルデータは、データ長変換部１５に送られる。データ長変換部１５は、シフトレジスタを用いて構成されている。そして、データ長変換部１５は、３２０ビット幅のパラレル・デジタルデータを２５６ビット幅に変換したデータと、２００ビット幅のパラレル・デジタルデータを２５６ビット幅に変換したデータとを用いて、２５６ビット幅のパラレル・デジタルデータを形成する。さらに、データ長変換部１５は、２５６ビット幅のパラレル・デジタルデータを１２８ビット幅に変換する。
【０１２５】
データ長変換部１５からＦＩＦＯメモリ１６を介して送られた６４ビット幅のパラレル・デジタルデータは、多チャンネルデータ形成部１７で、各々がビットレート６６８．２５Ｍｂｐｓを有する１６チャンネル分のシリアル・デジタルデータとして形成される。多チャンネルデータ形成部１７は、例えばＸＳＢＩ（Ten gigabit Sixteen Bit Interface：１０ギガビットイーサネット（登録商標）のシステムで使用される１６ビットインタフェース）である。多チャンネルデータ形成部１７によって形成された１６チャンネルのシリアル・デジタルデータは、多重・Ｐ／Ｓ変換部１８に送られる。
【０１２６】
多重・Ｐ／Ｓ変換部１８は、パラレル／シリアル変換部としての機能を有しており、多チャンネルデータ形成部１７から受け取る１６チャンネルのシリアル・デジタルデータを多重し、その多重したパラレル・デジタルデータをパラレル／シリアル変換する。これにより、多重・Ｐ／Ｓ変換部１８は、６６８．２５Ｍｂｐｓ×１６＝１０．６９２Ｇｂｐｓのシリアル・デジタルデータ（１０Ｇ−ＳＤＩ）を生成する。
【０１２７】
なお、８チャンネルのＨＤ−ＳＤＩから１チャンネルの１０Ｇ−ＳＤＩが生成されるため、マッピング部１１により生成された３２チャンネルのＨＤ−ＳＤＩから４チャンネルの１０Ｇ−ＳＤＩが生成される。すなわち、第１〜第８のサブイメージに対して４チャンネルの１０Ｇ−ＳＤＩが生成される。
【０１２８】
多重・Ｐ／Ｓ変換部１８によって生成された４チャンネルの１０Ｇ−ＳＤＩは、光電変換部１９に送られる。光電変換部１９は、ビットレート１０．６９２Ｇｂｐｓのシリアル・デジタルデータをＣＣＵ２に出力を制御する出力制御部として機能する。そして、光電変換部１９は、多重部１４によって生成された４チャンネルの１０Ｇ−ＳＤＩを光信号に変換する。このとき、光電変換部１９は、光信号に変換した４チャンネルの１０Ｇ−ＳＤＩを、例えば、ＤＷＤＭ／ＣＷＤＭ波長多重伝送技術により多重して、光ファイバーケーブル３経由でＣＣＵ２に伝送する。
【０１２９】
［ＤＷＤＭ／ＣＷＤＭ波長多重伝送技術］
ここで、ＤＷＤＭ／ＣＷＤＭ波長多重伝送技術について説明する。
【０１３０】
複数の波長の光を１本の光ファイバーに多重して伝送する方法をＷＤＭ（Wavelength Division Multiplexing）と言う。ＷＤＭは波長間隔に応じて大まかに以下の３つの方式に分けられる。
【０１３１】
（１）２波長多重方式
２波長多重方式は、１．３μｍ、１．５５μｍといった異なる波長の信号を、２波〜３波程度多重して１本の光ファイバーで伝送する方式である。
【０１３２】
（２）ＤＷＤＭ（Dense Wavelength Division Multiplexing）方式
ＤＷＤＭは、特に１．５５μｍ帯にて光の周波数で２５ＧＨｚ、５０ＧＨｚ、１００ＧＨｚ、２００ＧＨｚ..、高密度に光を多重して伝送する方法である。この間隔は、約０．２ｎｍ、０．４ｎｍ、０．８ｎｍ.. 波長の間隔となる。ＩＴＵ−Ｔ（International Telecommunication Union Telecommunication standardization sector）にて中心波長その他の標準化が行われた。ＤＷＤＭは、波長間隔が１００ＧＨｚと狭いために数十〜百と多くの多重数を取ることが出来、超大容量の通信が可能である。しかし、発振波長幅が波長間隔１００ＧＨｚより十分狭いことが必要であるとともに中心波長がＩＴＵ−Ｔ規格に一致するよう半導体レーザを温度制御する必要があるため、デバイスが高価であり、システムの消費電力が大きくなる。
【０１３３】
（３）ＣＷＤＭ（Coarse Wavelength Division Multiplexing）方式
ＣＷＤＭは、波長間隔を１０ｎｍ〜２０ｎｍとＤＷＤＭより一桁以上広く取った波長多重技術である。波長間隔が比較的広いために半導体レーザの発振波長幅がＤＷＤＭほど狭帯域である必要が無く、また半導体レーザを温度制御する必要も無いので、システムを低価格、低消費電力化することが可能である。ＤＷＤＭほどの大容量が必要でないシステムに有効である。中心波長例については、現在のところ４チャンネル構成で以下のものが一般的である。例えば、１．５１１μｍ、１．５３１μｍ、１．５５１μｍ、１．５７１μｍ、８チャンネル構成で１．４７１μｍ、１．４９１μｍ、１．５１１μｍ、１．５３１μｍ、１．５５１μｍ、１．５７１μｍ、１．５９１μｍ、１．６１１μｍがある。
【０１３４】
以上のように、本例の放送用カメラ１を用いることによって、イメージセンサから入力したＵＨＤＴＶ１クラスイメージ（１００Ｐ−１２０Ｐ）をシリアル・デジタルデータとして送信することができる。すなわち、ＵＨＤＴＶ１クラスイメージ（１００Ｐ−１２０Ｐ）が、ＣＨ１〜ＣＨ３２のＨＤ−ＳＤＩに変換され、さらに、ＣＨ１〜ＣＨ３２のＨＤ−ＳＤＩが、４チャンネルの１０Ｇ−ＳＤＩに変換されて出力される。
【０１３５】
なお、放送用カメラ１から３２チャンネルのＨＤ−ＳＤＩをそのまま出力するようにしてもよい。また、例えば、ＳＭＰＴＥ４２５等の規格に従って、３２チャンネルのＨＤ−ＳＤＩから、１６チャンネルの３Ｇｂｐｓのシリアル・デジタルデータ（以下、３Ｇ−ＳＤＩと称する）を生成し、出力するようにしてもよい。
【０１３６】
また、ＵＨＤＴＶ１クラスイメージ（１００Ｐ−１２０Ｐ）が４：２：２／１０ビット信号である場合、ＵＨＤＴＶ１クラスイメージ（１００Ｐ−１２０Ｐ）から１６チャンネルのＨＤ−ＳＤＩが生成される。従って、この場合、１６チャンネルのＨＤ−ＳＤＩ、８チャンネルの３Ｇ−ＳＤＩ、又は、４チャンネルの１０Ｇ−ＳＤＩにより、ＵＨＤＴＶ１クラスイメージ（１００Ｐ−１２０Ｐ）を伝送することが可能である。
【０１３７】
なお、各放送用カメラ１からＣＣＵ２には、ＵＨＤＴＶ１クラスイメージ（１００Ｐ−１２０Ｐ）が伝送されるだけでない。すなわち、ＣＣＵ２からも前述のリターンビデオ（他の放送用カメラ１で撮影中の映像を表示させるための映像信号）が光ファイバーケーブル３経由で各放送用カメラ１に伝送される。リターンビデオは周知の技術を用いて生成される（例えば、２チャンネル分のＨＤ−ＳＤＩ信号を、それぞれ８ビット／１０ビットエンコーディングした後、多重してシリアル・デジタルデータに変換する）ので、そのための回路構成の説明は省略する。
【０１３８】
［ＣＣＵの内部構成及び動作例］
次に、ＣＣＵ２の内部構成例を説明する。
【０１３９】
図１７は、ＣＣＵ２の回路構成のうち、本実施の形態に関連する部分を示すブロック図である。ＣＣＵ２には、このような回路が、各放送用カメラ１に一対一に対応して複数組設けられている。
【０１４０】
放送用カメラ１から光ファイバーケーブル３を経由して伝送された４チャンネルの１０Ｇ−ＳＤＩは、光電変換部３１によって電気信号に変換された後、Ｓ／Ｐ変換・多チャンネルデータ形成部３２に送られる。Ｓ／Ｐ変換・多チャンネルデータ形成部３２は、例えばＸＳＢＩである。そして、Ｓ／Ｐ変換・多チャンネルデータ形成部３２は、４チャンネルの１０Ｇ−ＳＤＩを受信する。
【０１４１】
Ｓ／Ｐ変換・多チャンネルデータ形成部３２は、受信した４チャンネルの１０Ｇ−ＳＤＩをそれぞれシリアル／パラレル変換する。そして、Ｓ／Ｐ変換・多チャンネルデータ形成部３２は、シリアル／パラレル変換した各パラレル・デジタルデータから、各々がビットレート６６８．２５Ｍｂｐｓを有する１６チャンネル分のシリアル・デジタルデータを形成するとともに、６６８．２５ＭＨｚのクロックを抽出する。
【０１４２】
Ｓ／Ｐ変換・多チャンネルデータ形成部３２によって形成された１６チャンネルのシリアル・デジタルデータは、多重部３３に送られる。また、Ｓ／Ｐ変換・多チャンネルデータ形成部３２によって抽出された６６８．２５ＭＨｚのクロックは、ＰＬＬ３４に送られる。
【０１４３】
多重部３３は、Ｓ／Ｐ変換・多チャンネルデータ形成部３２から受け取る１６チャンネルのシリアル・デジタルデータを多重して、６４ビット幅のパラレル・デジタルデータをＦＩＦＯメモリ３５に送る。
【０１４４】
ＰＬＬ３４は、Ｓ／Ｐ変換・多チャンネルデータ形成部３２から受け取る６６８．２５ＭＨｚのクロックを４分の１に分周した１６７．０６２５ＭＨｚのクロックをＦＩＦＯメモリ３５に書込みクロックとして送る。
【０１４５】
また、ＰＬＬ３４は、Ｓ／Ｐ変換・多チャンネルデータ形成部３２から受け取る６６８．２５ＭＨｚのクロックを８分の１に分周した８３．５３１２ＭＨｚのクロックを、ＦＩＦＯメモリ３５に読出しクロックとして送る。さらに、ＰＬＬ３４は、後述するデスクランブル・８Ｂ／１０Ｂ・Ｐ／Ｓ部３８内のＦＩＦＯメモリに、８３．５３１２ＭＨｚのクロックを書込みクロックとして送る。
【０１４６】
また、ＰＬＬ３４は、Ｓ／Ｐ変換・多チャンネルデータ形成部３２から受け取る６６８．２５ＭＨｚのクロックを１８分の１に分周した３７．１２５ＭＨｚのクロックを、デスクランブル・８Ｂ／１０Ｂ・Ｐ／Ｓ部３８内のＦＩＦＯメモリに読出しクロックとして送る。また、ＰＬＬ３４は、デスクランブル・８Ｂ／１０Ｂ・Ｐ／Ｓ部３８内のＦＩＦＯメモリに３７．１２５ＭＨｚのクロックを書込みクロックとして送る。
【０１４７】
またＰＬＬ３４は、Ｓ／Ｐ変換・多チャンネルデータ形成部３２から受け取る６６８．２５ＭＨｚのクロックを９分の１に分周した７４．２５ＭＨｚのクロックを、デスクランブル・８Ｂ／１０Ｂ・Ｐ／Ｓ部３８内のＦＩＦＯメモリに読出しクロックとして送る。
【０１４８】
ＦＩＦＯメモリ３５には、多重部３３から受け取る６４ビット幅のパラレル・デジタルデータが、ＰＬＬ３４から受け取る１６７．０６２５ＭＨｚのクロックによって書き込まれる。ＦＩＦＯメモリ３５に書き込まれたパラレル・デジタルデータは、ＰＬＬ３４から受け取る８３．５３１２ＭＨｚのクロックによって１２８ビット幅のパラレル・デジタルデータとして読み出されて、データ長変換部３６に送られる。
【０１４９】
データ長変換部３６は、シフトレジスタを用いて構成されており、１２８ビット幅のパラレル・デジタルデータを、２５６ビット幅に変換する。そして、データ長変換部３６は、タイミング基準信号ＳＡＶまたはＥＡＶに挿入されているＫ２８．５を検出する。これにより、データ長変換部３６は、各ライン期間を判別して、タイミング基準信号ＳＡＶ，アクティブライン，タイミング基準信号ＥＡＶ，ライン番号ＬＮ及び誤り検出符号ＣＲＣのデータを３２０ビット幅に変換する。さらに、データ長変換部３６は、水平補助データスペースのデータ（８Ｂ／１０Ｂ変換されたＣＨ１の水平補助データスペースのデータ）を２００ビット幅に変換する。データ長変換部３６によってデータ長を変換された３２０ビット幅のパラレル・デジタルデータと２００ビット幅のパラレル・デジタルデータとは、分離部３７に送られる。
【０１５０】
分離部３７は、データ長変換部３６から受け取る３２０ビット幅のパラレル・デジタルデータを、放送用カメラ１内の多重部１４によって多重される前の４０ビットずつのＣＨ１〜ＣＨ８のデータに分離する。このパラレル・デジタルデータには、タイミング基準信号ＳＡＶ，アクティブライン，タイミング基準信号ＥＡＶ，ライン番号ＬＮ及び誤り検出符号ＣＲＣのデータが含まれる。そして、分離部３７は、各ＣＨ１〜ＣＨ８の４０ビット幅のパラレル・デジタルデータを、デスクランブル・８Ｂ／１０Ｂ・Ｐ／Ｓ部３８に送る。
【０１５１】
なお、４チャンネルの１０Ｇ−ＳＤＩのそれぞれに対してＣＨ１〜ＣＨ８の４０ビット幅のパラレル・デジタルデータが生成されるため、合計で３２チャンネル分のパラレル・デジタルデータが、デスクランブル・８Ｂ／１０Ｂ・Ｐ／Ｓ部３８に送られる。
【０１５２】
また、分離部３７は、データ長変換部３６から受け取る２００ビット幅のパラレル・デジタルデータを、多重部１４によって多重される前の５０ビットずつのデータに分離する。このパラレル・デジタルデータには、８Ｂ／１０ＢエンコーディングされたＣＨ１の水平補助データスペースのデータが含まれる。そして、分離部３７は、この５０ビット幅のパラレル・デジタルデータを、デスクランブル・８Ｂ／１０Ｂ・Ｐ／Ｓ部３８に送る。
【０１５３】
なお、４チャンネルの１０Ｇ−ＳＤＩのそれぞれに対してＣＨ１の５０ビット幅のパラレル・デジタルデータが生成されるため、合計で４チャンネル分のパラレル・デジタルデータが、デスクランブル・８Ｂ／１０Ｂ・Ｐ／Ｓ部３８に送られる。
【０１５４】
デスクランブル・８Ｂ／１０Ｂ・Ｐ／Ｓ部３８は、ＣＨ１〜ＣＨ３２に一対一に対応する３２個のブロックによって構成される。すなわち、デスクランブル・８Ｂ／１０Ｂ・Ｐ／Ｓ部３８は、リンクＡであるＣＨ１，ＣＨ３，ＣＨ５，ＣＨ７，…，ＣＨ３１用のブロックを備え、入力したパラレル・デジタルデータにデスクランブルを掛けて、シリアル・デジタルデータに変換して出力する。また、デスクランブル・８Ｂ／１０Ｂ・Ｐ／Ｓ部３８は、リンクＢであるＣＨ２，ＣＨ４，ＣＨ６，ＣＨ８，…，ＣＨ３２用のブロックを備え、入力したパラレル・デジタルデータを８Ｂ／１０Ｂにデコードする。そして、デスクランブル・８Ｂ／１０Ｂ・Ｐ／Ｓ部３８は、シリアル・デジタルデータに変換して出力する。
【０１５５】
再生部３９は、デスクランブル・８Ｂ／１０Ｂ・Ｐ／Ｓ部３８から送られたＣＨ１〜ＣＨ３２（リンクＡ及びリンクＢ）のＨＤ−ＳＤＩに対して、ＳＭＰＴＥ４３５の規定に従って、放送用カメラ１内のマッピング部１１の処理と逆の処理を施す。この処理により、再生部３９は、ＨＤＴＶ１クラスイメージ（１００Ｐ−１２０Ｐ）を再生する。
【０１５６】
このとき、再生部３９は、Ｓ／Ｐ変換・多チャンネルデータ形成部３２が受信したＨＤ−ＳＤＩ１〜３２より、ワード多重、ライン多重の処理を順に行うことで第１〜第８のサブイメージを再生する。そして、再生部３９は、第１〜第８のサブイメージから画素サンプルを２画素ずつ取り出して、ＵＨＤＴＶ１クラスイメージ（１００Ｐ−１２０Ｐ）の第１及び第２のフレーム内に順に多重する。
【０１５７】
再生部３９によって再生されたＨＤＴＶ１クラスイメージ（１００Ｐ−１２０Ｐ）は、ＣＣＵ２から出力されて、例えばＶＴＲ等（図示略）に送られる。
【０１５８】
本例においてＣＣＵ２は、放送用カメラ１によって生成されたシリアル・デジタルデータを受信する側の信号処理を行う。この信号受信装置，信号受信方法では、１０Ｇ−ＳＤＩからパラレル・デジタルデータが生成され、このパラレル・デジタルデータが、リンクＡ，リンクＢの各チャンネルのデータに分離される。
【０１５９】
分離されたリンクＡのデータについては、自己同期型デスクランブルが掛けられるが、タイミング基準信号ＳＡＶの直前でデスクランブラ内のレジスタの値を全て０にセットしてデコードが開始される。さらに、誤り検出符号ＣＲＣに続く少なくとも数ビットのデータにも自己同期型デスクランブルが掛けられる。これにより、タイミング基準信号ＳＡＶ，アクティブライン，タイミング基準信号ＥＡＶ，ライン番号ＬＮ及び誤り検出符号ＣＲＣのデータのみに自己同期型デスクランブルが掛けられる。このため、水平補助データスペースのデータには自己同期型スクランブルが掛けられていないにもかかわらず、掛け算回路であるデスクランブラの桁上がりを考慮した正確な計算を行って元のデータを再生することができる。
【０１６０】
一方、分離されたリンクＢのデータについては、８ビット／１０ビットデコーディングしたＲＧＢのビットから、リンクＢの各サンプルのデータが形成される。そして、自己同期型デスクランブルを掛けられたリンクＡのパラレル・デジタルデータと、各サンプルを形成されたリンクＢのパラレル・デジタルデータとがそれぞれパラレル／シリアル変換される。そして、マッピングされたＣＨ１〜ＣＨ３２のＨＤ−ＳＤＩ信号が再生される。
【０１６１】
図１８は、再生部３９の内部構成例を示す。
【０１６２】
再生部３９は、マッピング部１１が画素サンプルに行った処理の逆変換を行うブロックである。
【０１６３】
再生部３９は、各部にクロックを供給するクロック供給回路４１を備える。クロック供給回路４１は、２画素多重制御部４２、ライン多重制御部４５−１〜４５−８、ワード多重制御部４７−１〜４７−１６、及び書込み制御部４９−１〜４９−３２にクロックを供給する。このクロックにより各部が同期して、画素サンプルの読み出し又は書き込みが制御される。
【０１６４】
また、再生部３９は、３２チャンネルのＨＤ−ＳＤＩ１〜３２をそれぞれ記憶するＲＡＭ４８−１〜４８−３２を備える。上述したようにＨＤ−ＳＤＩ１〜３２は、それぞれ１９２０×１０８０／５０Ｉ−６０Ｉ信号を構成する。そして、ＨＤ−ＳＤＩ１〜３２には、デスクランブル・８Ｂ／１０Ｂ・Ｐ／Ｓ部３８から入力されたリンクＡであるＣＨ１，ＣＨ３，ＣＨ５，ＣＨ７，…，ＣＨ３１と、リンクＢであるＣＨ２，ＣＨ４，ＣＨ６，ＣＨ８，…，ＣＨ３２が用いられる。
【０１６５】
書込み制御部４９−１〜４９−３２は、クロック供給回路４１から供給されるクロックに合わせて、入力した３２チャンネルのＨＤ−ＳＤＩ１〜３２をＲＡＭ４８−１〜４８−３２に保存する書込み制御を行う。
【０１６６】
また、再生部３９は、ワード多重（デインタリーブ）を制御するワード多重制御部４７−１〜４７−１６と、ワード多重制御部４７−１〜４７−１６が多重したデータを書き込むＲＡＭ４６−１〜４６−１６を備える。また、再生部３９は、ライン多重を制御するライン多重制御部４５−１〜４５−８と、ライン多重制御部４５−１〜４５−８が多重したデータを書き込むＲＡＭ４４−１〜４４−８を備える。
【０１６７】
ワード多重制御部４７−１〜４７−１６は、ＲＡＭ４８−１〜４８−３２から３２チャンネルのＨＤ−ＳＤＩを読み出す。そして、ワード多重制御部４７−１〜４７−１６は、読み出した３２チャンネルのＨＤ−ＳＤＩの画素サンプルに対して、マッピング部１１のワード間引き制御部２６−１〜２６−１６のワード間引きの逆変換であるワード多重処理を行う。このワード多重処理は、ＳＭＰＴＥ３７２のＦｉｇｕｒｅ３，５，７，８，９に従って行われる。これにより、３２チャンネルのＨＤ−ＳＤＩから１６チャンネルの１９２０×１０８０／５０Ｉ−６０Ｉ／４：４：４，４：２：２，４：２：０／１０ビット，１２ビット信号が生成される。ワード多重制御部４７−１〜４７−１６は、１６チャンネルの１９２０×１０８０／５０Ｉ−６０Ｉ／４：４：４，４：２：２，４：２：０／１０ビット，１２ビット信号をＲＡＭ４６−１〜４６−１６に記憶させる。
【０１６８】
ライン多重制御部４５−１〜４５−８は、ＲＡＭ４６−１〜４６−１６から１６チャンネルの１９２０×１０８０／５０Ｉ−６０Ｉ／４：４：４，４：２：２，４：２：０／１０ビット，１２ビット信号を読み出す。そして、ライン多重制御部４５−１〜４５−８は、読み出した信号に対して、マッピング部１１のライン間引き制御部２４−１〜２４−８のライン間引きの逆変換であるライン多重処理を行う。これにより、１６チャンネルの１９２０×１０８０／５０Ｉ−６０Ｉ／４：４：４，４：２：２，４：２：０／１０ビット，１２ビット信号から、第１〜第８のサブイメージが生成される。そして、ライン多重制御部４５−１〜４５−８は、第１〜第８のサブイメージをＲＡＭ４４−１〜４４−８に記憶させる。
【０１６９】
２画素多重制御部４２は、ＲＡＭ４４−１〜４４−８から第１〜第８のサブイメージを読み出す。そして、２画素多重制御部４２は、読み出した第１〜第８のサブイメージに対して、マッピング部１１の２画素間引き制御部２１の２画素間引きの逆変換である２画素多重制御処理を行い、２フレームのＵＨＤＴＶ１クラスイメージ（１００Ｐ−１２０Ｐ）を再生する。
【０１７０】
具体的には、２画素多重制御部４２は、第２ｈ＋ｊ＋１（ｈ＝０〜３，ｊ＝０〜１）のサブイメージの第ｇ＋２２ライン（ｇ＝０〜５３９）の第２ｉサンプル及び第２ｉ＋１サンプル（ｉ＝０〜９５９）の画素サンプルを抽出し、第１のクラスイメージの第４ｇ＋ｈラインの第４ｉ＋２ｊサンプル及び第４ｉ＋２ｊ＋１サンプルに多重する。
【０１７１】
例えば、第１のサブイメージの第２２ラインの第０サンプル、第１サンプル、第２サンプル、第３サンプル、第４サンプル、・・・、第１９１８サンプル、第１９１９サンプルが、第１のクラスイメージの第０ラインの第０サンプル、第１サンプル、第４サンプル、第５サンプル、・・・、第３８３６サンプル、第３８３７サンプルに多重される。第１のサブイメージの第２３ラインの第０サンプル、第１サンプル、第２サンプル、第３サンプル、第４サンプル、・・・、第１９１８サンプル、第１９１９サンプルが、第１のクラスイメージの第４ラインの第０サンプル、第１サンプル、第４サンプル、第５サンプル、・・・、第３８３６サンプル、第３８３７サンプルに多重される。以降同様にして、第１のサブイメージの第５６１ラインの第０サンプル、第１サンプル、第２サンプル、第３サンプル、第４サンプル、・・・、第１９１８サンプル、第１９１９サンプルが、第１のクラスイメージの第２１５６ラインの第０サンプル、第１サンプル、第４サンプル、第５サンプル、・・・、第３８３６サンプル、第３８３７サンプルに多重される。
【０１７２】
第２のサブイメージの第２２ラインの第０サンプル、第１サンプル、第２サンプル、第３サンプル、第４サンプル、・・・、第１９１８サンプル、第１９１９サンプルが、第１のクラスイメージの第０ラインの第２サンプル、第３サンプル、第６サンプル、第７サンプル、・・・、第３８３８サンプル、第３８３９サンプルに多重される。第２のサブイメージの第２３ラインの第０サンプル、第１サンプル、第２サンプル、第３サンプル、第４サンプル、・・・、第１９１８サンプル、第１９１９サンプルが、第１のクラスイメージの第４ラインの第２サンプル、第３サンプル、第６サンプル、第７サンプル、・・・、第３８３８サンプル、第３８３９サンプルに多重される。以降同様にして、第２のサブイメージの第５６１ラインの第０サンプル、第１サンプル、第２サンプル、第３サンプル、第４サンプル、・・・、第１９１８サンプル、第１９１９サンプルが、第１のクラスイメージの第２１５６ラインの第２サンプル、第３サンプル、第６サンプル、第７サンプル、・・・、第３８３８サンプル、第３８３９サンプルに多重される。
【０１７３】
第３のサブイメージの第２２ラインの第０サンプル、第１サンプル、第２サンプル、第３サンプル、第４サンプル、・・・、第１９１８サンプル、第１９１９サンプルが、第１のクラスイメージの第１ラインの第０サンプル、第１サンプル、第４サンプル、第５サンプル、・・・、第３８３６サンプル、第３８３７サンプルに多重される。第３のサブイメージの第２３ラインの第０サンプル、第１サンプル、第２サンプル、第３サンプル、第４サンプル、・・・、第１９１８サンプル、第１９１９サンプルが、第１のクラスイメージの第５ラインの第０サンプル、第１サンプル、第４サンプル、第５サンプル、・・・、第３８３６サンプル、第３８３７サンプルに多重される。以降同様にして、第３のサブイメージの第５６１ラインの第０サンプル、第１サンプル、第２サンプル、第３サンプル、第４サンプル、・・・、第１９１８サンプル、第１９１９サンプルが、第１のクラスイメージの第２１５７ラインの第０サンプル、第１サンプル、第４サンプル、第５サンプル、・・・、第３８３６サンプル、第３８３７サンプルに多重される。
【０１７４】
第４のサブイメージの第２２ラインの第０サンプル、第１サンプル、第２サンプル、第３サンプル、第４サンプル、・・・、第１９１８サンプル、第１９１９サンプルが、第１のクラスイメージの第１ラインの第２サンプル、第３サンプル、第６サンプル、第７サンプル、・・・、第３８３８サンプル、第３８３９サンプルに多重される。第４のサブイメージの第２３ラインの第０サンプル、第１サンプル、第２サンプル、第３サンプル、第４サンプル、・・・、第１９１８サンプル、第１９１９サンプルが、第１のクラスイメージの第５ラインの第２サンプル、第３サンプル、第６サンプル、第７サンプル、・・・、第３８３８サンプル、第３８３９サンプルに多重される。以降同様にして、第４のサブイメージの第５６１ラインの第０サンプル、第１サンプル、第２サンプル、第３サンプル、第４サンプル、・・・、第１９１８サンプル、第１９１９サンプルが、第１のクラスイメージの第２１５７ラインの第２サンプル、第３サンプル、第６サンプル、第７サンプル、・・・、第３８３８サンプル、第３８３９サンプルに多重される。
【０１７５】
第５のサブイメージの第２２ラインの第０サンプル、第１サンプル、第２サンプル、第３サンプル、第４サンプル、・・・、第１９１８サンプル、第１９１９サンプルが、第１のクラスイメージの第２ラインの第０サンプル、第１サンプル、第４サンプル、第５サンプル、・・・、第３８３６サンプル、第３８３７サンプルに多重される。第５のサブイメージの第２３ラインの第０サンプル、第１サンプル、第２サンプル、第３サンプル、第４サンプル、・・・、第１９１８サンプル、第１９１９サンプルが、第１のクラスイメージの第６ラインの第０サンプル、第１サンプル、第４サンプル、第５サンプル、・・・、第３８３６サンプル、第３８３７サンプルに多重される。以降同様にして、第５のサブイメージの第５６１ラインの第０サンプル、第１サンプル、第２サンプル、第３サンプル、第４サンプル、・・・、第１９１８サンプル、第１９１９サンプルが、第１のクラスイメージの第２１５８ラインの第０サンプル、第１サンプル、第４サンプル、第５サンプル、・・・、第３８３６サンプル、第３８３７サンプルに多重される。
【０１７６】
第６のサブイメージの第２２ラインの第０サンプル、第１サンプル、第２サンプル、第３サンプル、第４サンプル、・・・、第１９１８サンプル、第１９１９サンプルが、第１のクラスイメージの第２ラインの第２サンプル、第３サンプル、第６サンプル、第７サンプル、・・・、第３８３８サンプル、第３８３９サンプルに多重される。第６のサブイメージの第２３ラインの第０サンプル、第１サンプル、第２サンプル、第３サンプル、第４サンプル、・・・、第１９１８サンプル、第１９１９サンプルが、第１のクラスイメージの第６ラインの第２サンプル、第３サンプル、第６サンプル、第７サンプル、・・・、第３８３８サンプル、第３８３９サンプルに多重される。以降同様にして、第６のサブイメージの第５６１ラインの第０サンプル、第１サンプル、第２サンプル、第３サンプル、第４サンプル、・・・、第１９１８サンプル、第１９１９サンプルが、第１のクラスイメージの第２１５８ラインの第２サンプル、第３サンプル、第６サンプル、第７サンプル、・・・、第３８３８サンプル、第３８３９サンプルに多重される。
【０１７７】
第７のサブイメージの第２２ラインの第０サンプル、第１サンプル、第２サンプル、第３サンプル、第４サンプル、・・・、第１９１８サンプル、第１９１９サンプルが、第１のクラスイメージの第３ラインの第０サンプル、第１サンプル、第４サンプル、第５サンプル、・・・、第３８３６サンプル、第３８３７サンプルに多重される。第７のサブイメージの第２３ラインの第０サンプル、第１サンプル、第２サンプル、第３サンプル、第４サンプル、・・・、第１９１８サンプル、第１９１９サンプルが、第１のクラスイメージの第７ラインの第０サンプル、第１サンプル、第４サンプル、第５サンプル、・・・、第３８３６サンプル、第３８３７サンプルに多重される。以降同様にして、第７のサブイメージの第５６１ラインの第０サンプル、第１サンプル、第２サンプル、第３サンプル、第４サンプル、・・・、第１９１８サンプル、第１９１９サンプルが、第１のクラスイメージの第２１５９ラインの第０サンプル、第１サンプル、第４サンプル、第５サンプル、・・・、第３８３６サンプル、第３８３７サンプルに多重される。
【０１７８】
第８のサブイメージの第２２ラインの第０サンプル、第１サンプル、第２サンプル、第３サンプル、第４サンプル、・・・、第１９１８サンプル、第１９１９サンプルが、第１のクラスイメージの第３ラインの第２サンプル、第３サンプル、第６サンプル、第７サンプル、・・・、第３８３８サンプル、第３８３９サンプルに多重される。第８のサブイメージの第２３ラインの第０サンプル、第１サンプル、第２サンプル、第３サンプル、第４サンプル、・・・、第１９１８サンプル、第１９１９サンプルが、第１のクラスイメージの第７ラインの第２サンプル、第３サンプル、第６サンプル、第７サンプル、・・・、第３８３８サンプル、第３８３９サンプルに多重される。以降同様にして、第８のサブイメージの第５６１ラインの第０サンプル、第１サンプル、第２サンプル、第３サンプル、第４サンプル、・・・、第１９１８サンプル、第１９１９サンプルが、第１のクラスイメージの第２１５９ラインの第２サンプル、第３サンプル、第６サンプル、第７サンプル、・・・、第３８３８サンプル、第３８３９サンプルに多重される。
【０１７９】
また、第２ｈ＋ｊ＋１（ｈ＝０〜３，ｊ＝０〜１）のサブイメージの第ｇ＋５８４ライン（ｇ＝０〜５３９）の第２ｉサンプル及び第２ｉ＋１サンプル（ｉ＝０〜９５９）の画素サンプルが、第２のクラスイメージの第４ｇ＋ｈラインの第４ｉ＋２ｊサンプル及び第４ｉ＋２ｊ＋１サンプルに多重される。これにより、第１のクラスイメージと同様に、第２のクラスイメージが再生される。
【０１８０】
そして、再生された第１及び第２のクラスイメージ（すなわち、２フレームのＵＨＤＴＶ１クラスイメージ（１００Ｐ−１２０Ｐ））が、ＲＡＭ４３に記憶される。
【０１８１】
なお、図１８では、３種類のメモリ（ＲＡＭ４４−１〜４４−８、ＲＡＭ４６−１〜４６−１６、ＲＡＭ４６−１〜４６−３２）を用いて、２画素多重、ライン多重、ワード多重の３段階の多重処理を行う例を示したが、３種類のメモリのうちの２種類以上を共通化することも可能である。
【０１８２】
以上のように、第１の実施の形態によれば、ＵＨＤＴＶ１クラスイメージ（１００Ｐ−１２０Ｐ）から３２チャンネルのＨＤ−ＳＤＩを生成するまでの間引き処理に必要となるメモリの容量、及び、伝送遅延を抑制することができる。また、従来のＳＤＩフォーマットを用いて、ＵＨＤＴＶ１クラスイメージ（１００Ｐ−１２０Ｐ）を送受信することが可能となる。さらに、ＵＨＤＴＶ１クラスイメージ（１００Ｐ−１２０Ｐ）をシリアル伝送する場合に、元のＵＨＤＴＶ１クラスイメージ（１００Ｐ−１２０Ｐ）と同じフレーム単位で、映像の切り替えを行うことができる。
【０１８３】
＜３．第２の実施の形態＞
［ＵＨＤＴＶ２ ７６８０×４３２０／１００Ｐ，１１９．８８，１２０Ｐ／４：４：４，４：２：２，４：２：０／１０ビット，１２ビット信号を伝送する例］
【０１８４】
次に、図１９〜図２１を参照して、本開示の第２の実施の形態について説明する。
【０１８５】
第２の実施の形態では、７６８０×４３２０／１００Ｐ−１２０Ｐ／４：４：４，４：２：２，４：２：０／１０ビット，１２ビット信号の伝送が行われる。すなわち、ｍ×ｎが７６８０×４３２０、ａ−ｂが１００Ｐ−１２０Ｐ、ｒ：ｇ：ｂが４：４：４，４：２：２，４：２：０である映像信号の伝送が行われる。この信号のフレームレートは、ＳＭＰＴＥ２０３６−１で規定されるＵＨＤＴＶ２の７６８０×４３２０／５０Ｐ−６０Ｐ／４：４：４，４：２：２，４：２：０／１０ビット，１２ビット信号の倍である。
【０１８６】
なお、この信号は、色域（Colorimetry）は異なったとしても、禁止コードなどデジタル信号形式は、ＳＭＰＴＥ２０３６−１で規定されるＵＨＤＴＶ２の映像信号と同じである。
【０１８７】
なお、以下、７６８０×４３２０／１００Ｐ−１２０Ｐ／４：４：４，４：２：２，４：２：０／１０ビット，１２ビット信号を、ＵＨＤＴＶ２クラスイメージ（１００Ｐ−１２０Ｐ）とも称する。
【０１８８】
この第２の実施の形態では、第１の実施の形態と比較して、放送用カメラ１のマッピング部１１とＣＣＵ２の再生部３９の構成及び処理が異なる。
【０１８９】
［マッピング部の内部構成］
図１９は、マッピング部１１の内部構成例を示す。
【０１９０】
マッピング部１１は、各部にクロックを供給するクロック供給回路６１と、７６８０×４３２０／１００Ｐ−１２０Ｐの映像信号（ＵＨＤＴＶ２クラスイメージ（１００Ｐ−１２０Ｐ））を記憶するＲＡＭ６３を備える。また、マッピング部１１は、ＲＡＭ６３に記憶されたＵＨＤＴＶ２クラスイメージ（１００Ｐ−１２０Ｐ）から２画素ずつ画素サンプルを読み出す２画素間引き（インタリーブ）を制御する第２の２画素間引き制御部６２を備える。また、２画素間引きされた画素サンプルは、３８４０×２１６０／１００Ｐ−１２０Ｐ／４：４：４，４：２：２，４：２：０／１０ビット，１２ビット信号である第１〜第４のＵＨＤＴＶ１クラスイメージ（１００Ｐ−１２０Ｐ）として、ＲＡＭ６４−１〜６４−４に記憶される。
【０１９１】
また、マッピング部１１は、ＲＡＭ６４−１〜６４−４に記憶されている第１〜第４のＵＨＤＴＶ１クラスイメージ（１００Ｐ−１２０Ｐ）の２画素間引き（インタリーブ）を制御する第１の２画素間引き制御部６５−１〜６５−４を備える。なお、第１の２画素間引き制御部６５−１〜６５−４は、上述した第１の実施の形態に係る２画素間引き制御部２１と同様の動作を行う。従って、第１の２画素間引き制御部６５−１〜６５−４は、第１〜第４のＵＨＤＴＶ１クラスイメージ（１００Ｐ−１２０Ｐ）から、それぞれ第１〜第８のサブイメージを生成し、ＲＡＭ６６−１〜６６−３２に記憶させる。
【０１９２】
また、マッピング部１１は、ＲＡＭ６６−１〜６６−３２に記憶されているサブイメージのライン間引きを制御するライン間引き制御部６７−１〜６７−３２を備える。なお、ライン間引き制御部６７−１〜６７−３２は、上述した第１の実施の形態に係るライン間引き制御部２４−１〜２４−８と同様の動作を行う。また、マッピング部１１は、ライン間引き制御部６７−１〜６７−３２が間引いたラインを記憶するＲＡＭ６８−１〜６８−６４を備える。
【０１９３】
また、マッピング部１１は、ＲＡＭ６８−１〜６８−６４に記憶されているデータのワード間引きを制御するワード間引き制御部６９−１〜６９−６４を備える。なお、ワード間引き制御部６９−１〜６９−６４は、上述した第１の実施の形態に係るワード間引き制御部２６−１〜２６−１６と同様の動作を行う。また、マッピング部１１は、ワード間引き制御部６９−１〜６９−６４が間引いたデータを書き込むＲＡＭ７０−１〜７０−１２８を備える。
【０１９４】
また、マッピング部１１は、ＲＡＭ７０−１〜７０−１２８から読出したデータの画素サンプルを１２８チャンネルのＨＤ−ＳＤＩとして出力する読出し制御部７１−１〜７１−１２８を備える。
【０１９５】
なお、図１９には、ＨＤ−ＳＤＩ１を生成するブロックについて記載したが、ＨＤ−ＳＤＩ２〜１２８を生成するブロックも同様の構成例としているため、図示と詳細な説明を省略する。
【０１９６】
［マッピング部の動作例］
次に、マッピング部１１の動作例を説明する。
【０１９７】
クロック供給回路６１は、第２の２画素間引き制御部６２、第１の２画素間引き制御部６５−１〜６５−４，ライン間引き制御部６７−１〜６７−３２、ワード間引き制御部６９−１〜６９−６４、及び読出し制御部７１−１〜７１−１２８にクロックを供給する。このクロックは、画素サンプルの読み出し又は書き込みに用いられ、このクロックにより各部が同期する。
【０１９８】
不図示のイメージセンサから入力するＵＨＤＴＶ２クラスイメージ（１００Ｐ−１２０Ｐ）は、ＲＡＭ６３に保存される。
【０１９９】
第２の２画素間引き制御部６２は、図２０に示されるように、ＳＭＰＴＥ２０３６−３のＦｉｇｕｒｅ４等の規定に従って、ＵＨＤＴＶ２クラスイメージ（１００Ｐ−１２０Ｐ）の画素サンプルを第１〜第４のＵＨＤＴＶ１クラスイメージ（１００Ｐ−１２０Ｐ）にマッピングする。具体的には、第２の２画素間引き制御部６２は、ＵＨＤＴＶ２クラスイメージ（１００Ｐ−１２０Ｐ）から、１ライン置きに各ラインの隣り合う２つの画素サンプルのペアを１つ置きに間引いて、第１〜第４のＵＨＤＴＶ１クラスイメージ（１００Ｐ−１２０Ｐ）にマッピングする。
【０２００】
なお、図２０に示されるように、ＵＨＤＴＶ２クラスイメージ（１００Ｐ−１２０Ｐ）のサンプル番号及びライン番号は０からスタートする。従って、ＵＨＤＴＶ２クラスイメージ（１００Ｐ−１２０Ｐ）の有効領域には、０サンプルから７６７９サンプルまでの合計７６８０サンプルからなるラインが、０ラインから４３１９ラインまでの合計４３２０ライン存在する。なお、以下、ＵＨＤＴＶ２クラスイメージ（１００Ｐ−１２０Ｐ）の第０ライン、第２ライン、第４ライン、・・・を偶数ラインとし、第１ライン、第３ライン、第５ライン、・・・を奇数ラインとする。
【０２０１】
そして、ＵＨＤＴＶ２クラスイメージ（１００Ｐ−１２０Ｐ）の偶数ラインである第２ｉライン（ｉ＝０〜２１５９）の第４ｊサンプル及び第４ｊ＋１サンプル（ｊ＝０〜１９１９）の画素サンプルが、第１のＵＨＤＴＶ１クラスイメージ（１００Ｐ−１２０Ｐ）の第ｉラインの第２ｊサンプル及び第２ｊ＋１サンプルにマッピングされる。従って、第１のＵＨＤＴＶ１クラスイメージ（１００Ｐ−１２０Ｐ）は、ＵＨＤＴＶ２クラスイメージ（１００Ｐ−１２０Ｐ）の偶数ラインの第４ｊサンプル及び第４ｊ＋１サンプル（ｊ＝０〜１９１９）の画素サンプルを間引いて、元の順序のまま並べた映像信号となる。
【０２０２】
また、ＵＨＤＴＶ２クラスイメージ（１００Ｐ−１２０Ｐ）の偶数ラインである第２ｉライン（ｉ＝０〜２１５９）の第４ｊ＋２サンプル及び第４ｊ＋３サンプル（ｊ＝０〜１９１９）の画素サンプルが、第２のＵＨＤＴＶ１クラスイメージ（１００Ｐ−１２０Ｐ）の第ｉラインの第２ｊサンプル及び第２ｊ＋１サンプルにマッピングされる。従って、第２のＵＨＤＴＶ１クラスイメージ（１００Ｐ−１２０Ｐ）は、ＵＨＤＴＶ２クラスイメージ（１００Ｐ−１２０Ｐ）の偶数ラインの第４ｊ＋２サンプル及び第４ｊ＋３サンプル（ｊ＝０〜１９１９）の画素サンプルを間引いて、元の順序のまま並べた映像信号となる。
【０２０３】
さらに、ＵＨＤＴＶ２クラスイメージ（１００Ｐ−１２０Ｐ）の奇数ラインである第２ｉ＋１ライン（ｉ＝０〜２１５９）の第４ｊサンプル及び第４ｊ＋１サンプル（ｊ＝０〜１９１９）の画素サンプルが、第３のＵＨＤＴＶ１クラスイメージ（１００Ｐ−１２０Ｐ）の第ｉラインの第２ｊサンプル及び第２ｊ＋１サンプルにマッピングされる。従って、第３のＵＨＤＴＶ１クラスイメージ（１００Ｐ−１２０Ｐ）は、ＵＨＤＴＶ２クラスイメージ（１００Ｐ−１２０Ｐ）の奇数ラインの第４ｊサンプル及び第４ｊ＋１サンプル（ｊ＝０〜１９１９）の画素サンプルを間引いて、元の順序のまま並べた映像信号となる。
【０２０４】
また、ＵＨＤＴＶ２クラスイメージ（１００Ｐ−１２０Ｐ）の奇数ラインである第２ｉ＋１ライン（ｉ＝０〜２１５９）の第４ｊ＋２サンプル及び第４ｊ＋３サンプル（ｊ＝０〜１９１９）の画素サンプルが、第４のＵＨＤＴＶ１クラスイメージ（１００Ｐ−１２０Ｐ）の第ｉラインの第２ｊサンプル及び第２ｊ＋１サンプルにマッピングされる。従って、第４のＵＨＤＴＶ１クラスイメージ（１００Ｐ−１２０Ｐ）は、ＵＨＤＴＶ２クラスイメージ（１００Ｐ−１２０Ｐ）の奇数ラインの第４ｊ＋２サンプル及び第４ｊ＋３サンプル（ｊ＝０〜１９１９）の画素サンプルを間引いて、元の順序のまま並べた映像信号となる。
【０２０５】
以降、第１〜第４のＵＨＤＴＶ１クラスイメージ（１００Ｐ−１２０Ｐ）に対して、それぞれ第１の実施の形態と同様に、サブイメージへのマッピング処理、ライン間引き処理、ワード間引き処理が行われ、１２８チャンネルのＨＤ−ＳＤＩが生成される。生成された１２８チャンネルのＨＤ−ＳＤＩは、マッピング部１１からＳ／Ｐ・スクランブル・８Ｂ／１０Ｂ部１２に供給される。そして、第１の実施の形態と同様の処理により、１２８チャンネルのＨＤ−ＳＤＩから１６チャンネルの１０Ｇ−ＳＤＩが生成され、放送用カメラ１からＣＣＵ２に送信される。
【０２０６】
なお、１６チャンネルの１０Ｇ−ＳＤＩを１本の光ファイバーで伝送する際には、ＣＷＤＭ／ＤＷＤＭ波長多重技術を使うことが出来る。
【０２０７】
また、１２８チャンネルのＨＤ−ＳＤＩをそのまま送信したり、１２８チャンネルのＨＤ−ＳＤＩを多重して、６４チャンネルの３Ｇ−ＳＤＩを送信するようにしてもよい。
【０２０８】
また、図１９では、４種類のメモリ（ＲＡＭ６４−１〜６４−４、ＲＡＭ６６−１〜６６−３２、ＲＡＭ６８−１〜６８−６４、ＲＡＭ７０−１〜７０−１２８）を用いて、第１及び第２の２画素間引き、ライン間引き、ワード間引きの４段階の間引き処理を行う例を示したが、４種類のメモリのうちの２種類以上を共通化することも可能である。
【０２０９】
［再生部の内部構成］
図２１は、再生部３９の内部構成例を示す。
【０２１０】
再生部３９は、図１９マッピング部１１が画素サンプルに行った処理の逆変換を行うブロックである。
【０２１１】
再生部３９は、各部にクロックを供給するクロック供給回路８１を備える。クロック供給回路８１は、第２の２画素多重制御部８２、第１の２画素多重制御部８５−１〜８５−４、ライン多重制御部８７−１〜８７−３２、ワード多重制御部８９−１〜８９−６４及び書込み制御部９１−１〜９１−１２８にクロックを供給する。このクロックにより各部が同期して、画素サンプルの読み出し又は書き込みが制御される。
【０２１２】
また、再生部３９は、１２８チャンネルのＨＤ−ＳＤＩ１〜１２８をそれぞれ記憶するＲＡＭ９０−１〜９０−１２８を備える。ＨＤ−ＳＤＩ１〜１２８は、それぞれ１９２０×１０８０／５０Ｉ−６０Ｉ信号を構成する。そして、ＨＤ−ＳＤＩ１〜１２８には、デスクランブル・８Ｂ／１０Ｂ・Ｐ／Ｓ部３８から入力されたリンクＡであるＣＨ１，ＣＨ３，ＣＨ５，ＣＨ７，…，ＣＨ１２７と、リンクＢであるＣＨ２，ＣＨ４，ＣＨ６，ＣＨ８，…，ＣＨ１２８が用いられる。
【０２１３】
書込み制御部９１−１〜９１−１２８は、クロック供給回路８１から供給されるクロックに合わせて、入力された１２８チャンネルのＨＤ−ＳＤＩ１〜１２８をＲＡＭ９０−１〜９０−１２８に書き込む制御を行う。
【０２１４】
また、再生部３９は、ワード多重（デインタリーブ）を制御するワード多重制御部８９−１〜８９−６４を備える。なお、ワード多重制御部８９−１〜８９−６４は、上述した第１の実施の形態に係るワード多重制御部４７−１〜４７−１６と同様の動作を行う。さらに、再生部３９は、ワード多重制御部８９−１〜８９−６４が多重したデータを書き込むＲＡＭ８８−１〜８８−６４を備える。
【０２１５】
また、再生部３９は、ライン多重を制御するライン多重制御部８７−１〜８７−３２を備える。なお、ライン多重制御部８７−１〜８７−３２は、上述した第１の実施の形態に係るライン多重制御部４５−１〜４５−８と同様の動作を行う。さらに、再生部３９は、ライン多重制御部８７−１〜８７−３２が多重したデータを書き込むＲＡＭ８６−１〜８６−３２を備える。
【０２１６】
また、再生部３９は、ＲＡＭ８６−１〜８６−３２から抽出した２画素サンプルの多重を制御する第１の２画素多重制御部８５−１〜８５−４を備える。なお、第１の２画素多重制御部８５−１〜８５−４は、上述した第１の実施の形態に係る２画素多重制御部４２と同様の動作を行う。さらに、再生部３９は、第１の２画素多重制御部８５−１〜８５−４が生成した第１〜第４のＵＨＤＴＶ１クラスイメージ（１００Ｐ−１２０Ｐ）を記憶するＲＡＭ８４−１〜８４−４を備える。
【０２１７】
また、再生部３９は、ＲＡＭ８４−１〜８４−４に記憶されている第１〜第４のＵＨＤＴＶ１クラスイメージ（１００Ｐ−１２０Ｐ）の画素サンプルをＵＨＤＴＶ２クラスイメージ（１００Ｐ−１２０Ｐ）に多重する第２の２画素多重制御部８２を備える。また、再生部３９は、ＵＨＤＴＶ２クラスイメージ（１００Ｐ−１２０Ｐ）に多重した画素サンプルを記憶するＲＡＭ８３を備える。
【０２１８】
［再生部の動作例］
次に、再生部３９の動作例を説明する。
【０２１９】
上述した第１の実施の形態と同様の処理により、ＨＤ−ＳＤＩ１〜１２８に対して、ワード多重及びライン多重を行うことにより、第１〜第３２のサブイメージが生成される。また、上述した第１の実施の形態と同様の処理により、第１〜第３２のサブイメージに対して、２画素多重を行うことにより、第１〜第４のＵＨＤＴＶ１クラスイメージ（１００Ｐ−１２０Ｐ）が生成され、ＲＡＭ８４−１〜８４−４に記憶される。
【０２２０】
第２の２画素多重制御部８２は、ＲＡＭ８４−１〜８４−４から第１〜第４のＵＨＤＴＶ１クラスイメージ（１００Ｐ−１２０Ｐ）を読み出す。そして、第２の２画素多重制御部８２は、読み出した第１〜第４のＵＨＤＴＶ１クラスイメージ（１００Ｐ−１２０Ｐ）に対して、マッピング部１１の第２の２画素間引き制御部６２の２画素間引きの逆変換である２画素多重を行い、ＵＨＤＴＶ２クラスイメージ（１００Ｐ−１２０Ｐ）を再生する。
【０２２１】
具体的には、第１のＵＨＤＴＶ１クラスイメージ（１００Ｐ−１２０Ｐ）の第ｉライン（ｉ＝０〜２１５９）の第２ｊサンプル及び第２ｊ＋１サンプル（ｊ＝０〜１９１９）の画素サンプルが、ＵＨＤＴＶ２クラスイメージ（１００Ｐ−１２０Ｐ）の偶数ラインである第２ｉライン（ｉ＝０〜２１５９）の第４ｊサンプル及び第４ｊ＋１サンプル（ｊ＝０〜１９１９）にマッピングされる。
【０２２２】
第２のＵＨＤＴＶ１クラスイメージ（１００Ｐ−１２０Ｐ）の第ｉライン（ｉ＝０〜２１５９）の第２ｊサンプル及び第２ｊ＋１サンプル（ｊ＝０〜１９１９）の画素サンプルが、ＵＨＤＴＶ２クラスイメージ（１００Ｐ−１２０Ｐ）の偶数ラインである第２ｉライン（ｉ＝０〜２１５９）の第４ｊ＋２サンプル及び第４ｊ＋３サンプル（ｊ＝０〜１９１９）にマッピングされる。
【０２２３】
第３のＵＨＤＴＶ１クラスイメージ（１００Ｐ−１２０Ｐ）の第ｉライン（ｉ＝０〜２１５９）の第２ｊサンプル及び第２ｊ＋１サンプル（ｊ＝０〜１９１９）の画素サンプルが、ＵＨＤＴＶ２クラスイメージ（１００Ｐ−１２０Ｐ）の奇数ラインである第２ｉ＋１ライン（ｉ＝０〜２１５９）の第４ｊサンプル及び第４ｊ＋１サンプル（ｊ＝０〜１９１９）にマッピングされる。
【０２２４】
第４のＵＨＤＴＶ１クラスイメージ（１００Ｐ−１２０Ｐ）の第ｉライン（ｉ＝０〜２１５９）の第２ｊサンプル及び第２ｊ＋１サンプル（ｊ＝０〜１９１９）の画素サンプルが、ＵＨＤＴＶ２クラスイメージ（１００Ｐ−１２０Ｐ）の奇数ラインである第２ｉ＋１ライン（ｉ＝０〜２１５９）の第４ｊ＋２サンプル及び第４ｊ＋３サンプル（ｊ＝０〜１９１９）にマッピングされる。
【０２２５】
そして、再生されたＵＨＤＴＶ２クラスイメージ（１００Ｐ−１２０Ｐ）が、ＲＡＭ８３に記憶される。そして、適宜、ＵＨＤＴＶ２クラスイメージ（１００Ｐ−１２０Ｐ）がＶＴＲ等に送って再生される。
【０２２６】
なお、図２１では、４種類のメモリ（ＲＡＭ８４−１〜８４−４、ＲＡＭ８６−１〜８６−３２、ＲＡＭ８８−１〜８８−６４、ＲＡＭ９０−１〜９０−１２８）を用いて、第１及び第２の２画素多重、ライン多重、ワード多重の４段階の多重処理を行う例を示したが、４種類のメモリのうちの２種類以上を共通化することも可能である。
【０２２７】
以上のように、第２の実施の形態によれば、ＵＨＤＴＶ２クラスイメージ（１００Ｐ−１２０Ｐ）から１２８チャンネルのＨＤ−ＳＤＩを生成するまでの間引き処理に必要となるメモリの容量、及び、伝送遅延を抑制することができる。また、従来のＳＤＩフォーマットを用いて、ＵＨＤＴＶ２クラスイメージ（１００Ｐ−１２０Ｐ）を送受信することが可能となる。さらに、ＵＨＤＴＶ２クラスイメージ（１００Ｐ−１２０Ｐ）をシリアル伝送する場合に、元のＵＨＤＴＶ２クラスイメージ（１００Ｐ−１２０Ｐ）と同じフレーム単位で、映像の切り替えを行うことができる。
【０２２８】
＜４．第３の実施の形態＞
［３８４０×２１６０／（５０Ｐ−６０Ｐ）×Ｎ／４：４：４，４：２：２，４：２：０／１０ビット，１２ビット信号を伝送する例］
【０２２９】
次に、図２２及び図２３を参照して、本開示の第３の実施の形態について説明する。
【０２３０】
第３の実施の形態では、３８４０×２１６０／（５０Ｐ−６０Ｐ）×Ｎ（Ｎは２以上の整数）／４：４：４，４：２：２，４：２：０／１０ビット，１２ビット信号の伝送が行われる。すなわち、ｍ×ｎが３８４０×２１６０、ａ−ｂが（５０Ｐ−６０Ｐ）×Ｎ、ｒ：ｇ：ｂが４：４：４，４：２：２，４：２：０である映像信号の伝送が行われる。この信号のフレームレートは、ＳＭＰＴＥ２０３６−１で規定される３８４０×２１６０／５０Ｐ−６０Ｐ／４：４：４，４：２：２，４：２：０／１０ビット，１２ビット信号のＮ倍であり、１００Ｐ−１２０Ｐ以上となる。
【０２３１】
なお、この信号は、色域（Colorimetry）は異なったとしても、禁止コードなどデジタル信号形式は、ＳＭＰＴＥ２０３６−１で規定されるＵＨＤＴＶ１の映像信号と同じである。
【０２３２】
また、以下、３８４０×２１６０／（５０Ｐ−６０Ｐ）×Ｎ／４：４：４，４：２：２，４：２：０／１０ビット，１２ビット信号を、ＵＨＤＴＶ１クラスイメージ（（５０Ｐ−６０Ｐ）×Ｎ）とも称する。
【０２３３】
この第３の実施の形態では、第１の実施の形態と比較して、Ｎ＝３以上の場合に、ＵＨＤＴＶ１クラスイメージをサブイメージにマッピングする処理、及び、その逆変換であるサブイメージからＵＨＤＴＶ１クラスイメージを再生する処理が異なる。なお、上述した第１の実施の形態は、この第３の実施の形態においてN＝２に設定した場合である。
【０２３４】
具体的には、図２２に示されるように、ＵＨＤＴＶ１クラスイメージ（（５０Ｐ−６０Ｐ）×Ｎ）の連続するＮフレームから（Ｎフレーム単位で）、２Ｎライン間隔で各ラインの隣り合う２つの画素サンプルのペアが１つ置きに間引かれ、第１〜第４Ｎのサブイメージにマッピングされる。
【０２３５】
ここで、さらに図２３も参照して、ＵＨＤＴＶ１クラスイメージ（（５０Ｐ−６０Ｐ）×Ｎ）の連続するＮフレームから第１〜第４Ｎのサブイメージへの画素サンプルのマッピング方法の詳細について説明する。
【０２３６】
図２３は、図９と同様の図であり、各サブイメージのフォーマットの例を示している。図２３のサブイメージのフォーマットは、図９と比較して、垂直ブランキング領域と映像データ領域の配置が異なっている。
【０２３７】
まず、第１〜第４Ｎのサブイメージの先頭のＶ１ラインの領域に、垂直ブランキング領域が設けられる。
【０２３８】
次に、第１のクラスイメージの第２Ｎｇ＋ｈライン（ｇ＝０〜Ｍ（＝（２１６０）／２Ｎ−１），ｈ＝０〜２Ｎ−１）の第４ｉ＋２ｊサンプル及び第４ｉ＋２ｊ＋１サンプル（ｉ＝０〜９５９，ｊ＝０〜１）の画素サンプルが、第２ｈ＋ｊ＋１のサブイメージの第ｇ＋Ｖ１＋１ラインの第２ｉサンプル及び第２ｉ＋１サンプルにマッピングされる。
【０２３９】
次に、第１〜第４Ｎのサブイメージの第１のクラスイメージの画素サンプルがマッピングされた領域に続くＶ２ラインの領域に、垂直ブランキング領域が設けられる。
【０２４０】
次に、第２のクラスイメージの第２Ｎｇ＋ｈライン（ｇ＝０〜Ｍ，ｈ＝０〜２Ｎ−１）の第４ｉ＋２ｊサンプル及び第４ｉ＋２ｊ＋１サンプル（ｉ＝０〜９５９，ｊ＝０〜１）の画素サンプルが、第２ｈ＋ｊ＋１のサブイメージの第ｇ＋（Ｍ＋１）＋Ｖ１＋Ｖ２＋１ラインの第２ｉサンプル及び第２ｉ＋１サンプルにマッピングされる。
【０２４１】
以降、第３から第Ｎまでのクラスイメージまで同様のマッピングが行われる。そして、第Ｎのクラスイメージの第２Ｎｇ＋ｈライン（ｇ＝０〜Ｍ，ｈ＝０〜２Ｎ−１）の第４ｉ＋２ｊサンプル及び第４ｉ＋２ｊ＋１サンプル（ｉ＝０〜９５９，ｊ＝０〜１）の画素サンプルが、第２ｈ＋ｊ＋１のサブイメージの第ｇ＋（Ｎ−１）×（M＋１）＋Ｖ１＋Ｖ２＋Ｖ３＋・・・＋ＶＮ＋１ラインの第２ｉサンプル及び第２ｉ＋１サンプルにマッピングされる。
【０２４２】
最後に、第１〜第４Ｎのサブイメージの第Ｎのクラスイメージの画素サンプルがマッピングされた領域に続くＶ（Ｎ＋１）ラインの領域に、垂直ブランキング領域が設けられる。
【０２４３】
なお、Ｖ１、Ｖ２、Ｖ３、・・・、ＶＮのそれぞれは、おおよそ４５／Ｎライン（小数点以下は切り上げ又は切り捨て）に設定されるとともに、Ｖ１＋Ｖ２＋Ｖ３＋・・・＋ＶＮ＋Ｖ（Ｎ＋１）が４５ラインになるように設定される。
【０２４４】
以上のように、ＵＨＤＴＶ１クラスイメージ（（５０Ｐ−６０Ｐ）×Ｎ）の連続するＮフレームから、２Ｎライン間隔で各ラインの隣り合う２つの画素サンプルのペアが１つ置きに間引かれて、第１〜第４Ｎのサブイメージにマッピングされる。
【０２４５】
また、第１〜第４Ｎのサブイメージ内において、ＵＨＤＴＶ１クラスイメージ（（５０Ｐ−６０Ｐ）×Ｎ）の各フレームに対応する映像データ領域の間に所定の間隔（垂直ブランキング領域）が設けられる。これにより、各サブイメージにおいて、ＵＨＤＴＶ１クラスイメージ（（５０Ｐ−６０Ｐ）×Ｎ）の各フレーム間にスイッチングポイントを設定することができ、ＵＨＤＴＶ１クラスイメージ（（５０Ｐ−６０Ｐ）×Ｎ）と同じフレーム単位で映像の切り替えを行うことが可能になる。
【０２４６】
その後、第１〜第４のサブイメージに対して、第１の実施の形態と同様に、ライン間引き及びワード間引きが行われる。これにより、１６ＮチャンネルのＨＤ−ＳＤＩが生成される。さらに、第１の実施の形態と同様に、１６ＮチャンネルのＨＤ−ＳＤＩから２Ｎチャンネルの１０Ｇ−ＳＤＩが生成される。そして、２Ｎチャンネルの１０Ｇ−ＳＤＩが、放送用カメラ１からＣＣＵ２に伝送される。
【０２４７】
なお、２Ｎチャンネルの１０Ｇ−ＳＤＩを１本の光ファイバーで伝送する際には、ＣＷＤＭ／ＤＷＤＭ波長多重技術を使うことが出来る。
【０２４８】
また、１６ＮチャンネルのＨＤ−ＳＤＩをそのまま送信したり、１６ＮチャンネルのＨＤ−ＳＤＩを多重して、８Ｎチャンネルの３Ｇ−ＳＤＩを送信するようにしてもよい。
【０２４９】
また、ＣＣＵ２においては、第１の実施の形態と同様の処理により、２Ｎチャンネルの１０Ｇ−ＳＤＩから１６ＮチャンネルのＨＤ−ＳＤＩが生成され、さらに、第１〜第４Ｎのサブイメージが生成される。
【０２５０】
そして、上述した処理の逆変換を行うことにより、第１〜第４ＮのサブイメージからＮフレームのＵＨＤＴＶ１クラスイメージ（（５０Ｐ−６０Ｐ）×Ｎ）が再生される。
【０２５１】
以上のように、第３の実施の形態によれば、ＵＨＤＴＶ１クラスイメージ（（５０Ｐ−６０Ｐ）×Ｎ）から１６ＮチャンネルのＨＤ−ＳＤＩを生成するまでの間引き処理に必要となるメモリの容量、及び、伝送遅延を抑制することができる。また、従来のＳＤＩフォーマットを用いて、ＵＨＤＴＶ１クラスイメージ（（５０Ｐ−６０Ｐ）×Ｎ）を送受信することが可能となる。さらに、ＵＨＤＴＶ１クラスイメージ（（５０Ｐ−６０Ｐ）×Ｎ）をシリアル伝送する場合に、元のＵＨＤＴＶ１クラスイメージ（（５０Ｐ−６０Ｐ）×Ｎ）と同じフレーム単位で、映像の切り替えを行うことができる。
【０２５２】
＜５．第４の実施の形態＞
［ＵＨＤＴＶ２，７６８０×４３２０／（５０Ｐ−６０Ｐ）×Ｎ／４：４：４，４：２：２，４：２：０／１０ビット，１２ビット信号を伝送する例］
【０２５３】
次に、図２４を参照して、本開示の第４の実施の形態について説明する。
【０２５４】
第４の実施の形態では、７６８０×４３２０／（５０Ｐ−６０Ｐ）×Ｎ（Ｎは２以上の整数）／４：４：４，４：２：２，４：２：０／１０ビット，１２ビット信号の伝送が行われる。すなわち、ｍ×ｎが７６８０×４３２０、ａ−ｂが（５０Ｐ−６０Ｐ）×Ｎ、ｒ：ｇ：ｂが４：４：４，４：２：２，４：２：０である映像信号の伝送が行われる。従って、この信号のフレームレートは、ＳＭＰＴＥ２０３６−１で規定される７６８０×４３２０／５０Ｐ−６０Ｐ／４：４：４，４：２：２，４：２：０／１０ビット，１２ビット信号のＮ倍となり、１００Ｐ−１２０Ｐ以上となる。
【０２５５】
なお、この信号は、色域（Colorimetry）は異なったとしても、禁止コードなどデジタル信号形式は、ＳＭＰＴＥ２０３６−１で規定されるＵＨＤＴＶ２の映像信号と同じである。
【０２５６】
なお、以下、７６８０×４３２０／（５０Ｐ−６０Ｐ）×Ｎ／４：４：４，４：２：２，４：２：０／１０ビット，１２ビット信号を、ＵＨＤＴＶ２クラスイメージ（（５０Ｐ−６０Ｐ）×Ｎ）と称する。
【０２５７】
この第４の実施の形態では、第２の実施の形態と比較して、Ｎ＝３以上の場合に、ＵＨＤＴＶ１クラスイメージをサブイメージにマッピングする処理、及び、その逆変換であるサブイメージからＵＨＤＴＶ１クラスイメージを再生する処理が異なる。なお、上述した第２の実施の形態は、この第４の実施の形態においてN＝２に設定した場合である。
【０２５８】
具体的には、図２４に示されるように、ＵＨＤＴＶ２クラスイメージ（（５０Ｐ−６０Ｐ）×Ｎ）は、上述した第２の実施の形態と同様の処理により、第１〜第４のＵＨＤＴＶ１クラスイメージ（（５０Ｐ−６０Ｐ）×Ｎ）にマッピングされる。
【０２５９】
そして、上述した第３の実施の形態と同様の処理により、第１〜第４のＵＨＤＴＶ１クラスイメージ（（５０Ｐ−６０Ｐ）×Ｎ）から、第１〜第１６Ｎのサブイメージが生成され、さらに、６４ＮチャンネルのＨＤ−ＳＤＩが生成される。さらに、第１の実施の形態と同様に、６４ＮチャンネルのＨＤ−ＳＤＩから８Ｎチャンネルの１０Ｇ−ＳＤＩが生成される。そして、８Ｎチャンネルの１０Ｇ−ＳＤＩが、放送用カメラ１からＣＣＵ２に伝送される。
【０２６０】
なお、８Ｎチャンネルの１０Ｇ−ＳＤＩを１本の光ファイバーで伝送する際には、ＣＷＤＭ／ＤＷＤＭ波長多重技術を使うことが出来る。
【０２６１】
また、６４ＮチャンネルのＨＤ−ＳＤＩをそのまま送信したり、６４ＮチャンネルのＨＤ−ＳＤＩを多重して、３２Ｎチャンネルの３Ｇ−ＳＤＩを送信するようにしてもよい。
【０２６２】
また、ＣＣＵ２においては、第１の実施の形態と同様の処理について、８Ｎチャンネルの１０Ｇ−ＳＤＩから６４ＮチャンネルのＨＤ−ＳＤＩが生成される。さらに、第３の実施の形態と同様の処理により、６４ＮチャンネルのＨＤ−ＳＤＩから第１〜第１６Ｎのサブイメージが生成され、さらに、第１〜第４のＵＨＤＴＶ１クラスイメージ（（５０Ｐ−６０Ｐ）×Ｎ）が生成される。そして、第２の実施の形態と同様の処理により、第１〜第４のＵＨＤＴＶ１クラスイメージ（（５０Ｐ−６０Ｐ）×Ｎ）から、ＵＨＤＴＶ２クラスイメージ（（５０Ｐ−６０Ｐ）×Ｎ）が再生される。
【０２６３】
以上のように、第４の実施の形態によれば、ＵＨＤＴＶ２クラスイメージ（（５０Ｐ−６０Ｐ）×Ｎ）から６４ＮチャンネルのＨＤ−ＳＤＩを生成するまでの間引き処理に必要となるメモリの容量、及び、伝送遅延を抑制することができる。また、従来のＳＤＩフォーマットを用いて、ＵＨＤＴＶ２クラスイメージ（（５０Ｐ−６０Ｐ）×Ｎ）を送受信することが可能となる。さらに、ＵＨＤＴＶ２クラスイメージ（（５０Ｐ−６０Ｐ）×Ｎ）をシリアル伝送する場合に、元のＵＨＤＴＶ２クラスイメージ（（５０Ｐ−６０Ｐ）×Ｎ）と同じフレーム単位で、映像の切り替えを行うことができる。
【０２６４】
＜６．第５の実施の形態＞
［４０９６×２１６０／９６Ｐ−１２０Ｐ／４：４：４，４：２：２／１０ビット，１２ビット信号を伝送する例］
【０２６５】
次に、本開示の第５の実施の形態について、図２５〜図２７を参照して説明する。
【０２６６】
第５の実施の形態では、４０９６×２１６０／９６Ｐ−１２０Ｐ／４：４：４，４：２：２／１０ビット，１２ビット信号の伝送が行われる。すなわち、ｍ×ｎが４０９６×２１６０、ａ−ｂが９６Ｐ−１２０Ｐ、ｒ：ｇ：ｂが４：４：４，４：２：２である映像信号の伝送が行われる。従って、この信号のフレームレートは、ＳＭＰＴＥ２０４８−１で規定される４０９６×２１６０／５０Ｐ−６０Ｐ／４：４：４，４：２：２／１０ビット，１２ビット信号の倍になる。
【０２６７】
なお、この信号は、色域（Colorimetry）は異なったとしても、禁止コードなどデジタル信号形式は、ＳＭＰＴＥ２０４８−１で規定される信号と同じである。
【０２６８】
［放送用カメラの動作例］
まず、図２５〜図２７を参照して、放送用カメラ１の動作例について説明する。
【０２６９】
マッピング部１１は、第１の実施の形態と同様の処理により、４０９６×２１６０／９６Ｐ−１２０Ｐ／４：４：４，４：２：２／１０ビット，１２ビット信号から、３２チャンネルのＨＤ−ＳＤＩを生成する。
【０２７０】
具体的には、図２５に示されるように、４０９６×２１６０／９６Ｐ−１２０Ｐ／４：４：４，４：２：２／１０ビット，１２ビット信号が、第１〜第８のサブイメージにマッピングされる。なお、第１〜第８のサブイメージは、２０４８×１０８０／９６Ｐ−６０Ｐ／４：４：４，４：２：２／１０ビット，１２ビット信号である。従って、第１〜第８のサブイメージにおいては、ｍ′×ｎ′が２０４８×１０８０であり、ａ′−ｂ′が４８Ｐ−６０Ｐであり、ｒ′：ｇ′：ｂ′が４：４：４，４：２：２である。
【０２７１】
この第５の実施の形態における第１〜第８のサブイメージは、第１の実施の形態における第１〜第８のサブイメージと比較して、１ライン当たりのサンプル数が異なる。しかし、１ライン当たりのサンプル数が異なる点を除けば、第１の実施の形態の場合と同様のマッピングが行われる。すなわち、２０４８×１０８０／９６Ｐ−６０Ｐ／４：４：４，４：２：２，４：２：０／１０ビット，１２ビット信号の連続する２フレームから（２フレーム単位で）、４ライン間隔で各ラインの隣り合う２つの画素サンプルのペアが１つ置きに間引かれ、第１〜第８のサブイメージにマッピングされる。そして、各サブイメージの先頭の２１ライン及び末尾の２ラインに加えて、第１フレームの映像データ領域と第２フレームの映像データ領域の間に２２ラインの垂直ブランキング領域が設けられる。
【０２７２】
これにより、第１の実施の形態の場合と同様に、２０４８×１０８０／９６Ｐ−６０Ｐ／４：４：４，４：２：２，４：２：０／１０ビット，１２ビット信号と同じフレーム単位で、映像の切り替えを行うことができる。また、マッピング処理の遅延を抑制することができる。
【０２７３】
そして、図２６に示されるように、第１〜第８のサブイメージに対して、第１の実施の形態と同様に、ライン間引き及びワード間引きが行われる。これにより、各サブイメージからそれぞれ４チャンネルのＨＤ−ＳＤＩが生成され、合計３２チャンネルのＨＤ−ＳＤＩが生成される。なお、４０９６×２１６０／９６Ｐ−１２０Ｐ／４：２：２／１０ビット信号を伝送する場合には、合計で１６チャンネルのＨＤ−ＳＤＩが生成される。
【０２７４】
そして、３２チャンネルのＨＤ−ＳＤＩが、ＳＭＰＴＥ４３５−２のモードＢの規定に従って多重化される。
【０２７５】
図２７は、モードＢの説明図である。
【０２７６】
第１〜第４の実施の形態のモードＤでは、８チャンネル（ＣＨ１〜ＣＨ８）のＨＤ−ＳＤＩの多重化が行われるのに対し、モードＢでは、６チャンネル（ＣＨ１〜ＣＨ６）のＨＤ−ＳＤＩの多重化が行われる。
【０２７７】
具体的には、モードＢでは、１０Ｇ−ＳＤＩの映像データ領域と水平補助データスペースのそれぞれにデータが多重される。６チャンネル（ＣＨ１〜ＣＨ６）のＨＤ−ＳＤＩに含まれる４ワードの映像／ＥＡＶ／ＳＡＶデータは、５ワード（５０ビット）のデータブロックに８Ｂ／１０Ｂ変換され、１０Ｇ−ＳＤＩの映像データ領域に対して、ＳＡＶの先頭からチャンネル順に多重される。
【０２７８】
一方、４チャンネル（ＣＨ１〜ＣＨ４）のＨＤ−ＳＤＩの水平補助データスペースは、５０ビットのデータブロックに８Ｂ／１０Ｂ変換され、１０Ｇ−ＳＤＩの水平補助データスペースにチャンネル順に多重される。ただし、ＣＨ５，ＣＨ６のＨＤ−ＳＤＩの水平補助データスペースは伝送されない。
【０２７９】
そして、ＨＤ−ＳＤＩ１〜６からチャンネル１のモードＢの１０Ｇ−ＳＤＩが生成される。ＨＤ−ＳＤＩ７〜１２からチャンネル２のモードＢの１０Ｇ−ＳＤＩが生成される。ＨＤ−ＳＤＩ１３〜１８からチャンネル３のモードＢの１０Ｇ−ＳＤＩが生成される。ＨＤ−ＳＤＩ１９〜２４からチャンネル４のモードＢの１０Ｇ−ＳＤＩが生成される。ＨＤ−ＳＤＩ２５〜３０からチャンネル５のモードＢの１０Ｇ−ＳＤＩが生成される。ＨＤ−ＳＤＩ３１〜３２からチャンネル６のモードＢの１０Ｇ−ＳＤＩが生成される。
【０２８０】
そして、６チャンネルの１０Ｇ−ＳＤＩが、放送用カメラ１からＣＣＵ２に伝送される。
【０２８１】
なお、６チャンネルの１０Ｇ−ＳＤＩを１本の光ファイバーで伝送する際には、ＣＷＤＭ／ＤＷＤＭ波長多重技術を使うことが出来る。
【０２８２】
また、３２チャンネルのＨＤ−ＳＤＩをそのまま送信したり、３２チャンネルのＨＤ−ＳＤＩを多重して、１６チャンネルの３Ｇ−ＳＤＩを送信するようにしてもよい。
【０２８３】
［ＣＣＵの動作例］
【０２８４】
一方、ＣＣＵ２は、放送用カメラ１とは逆の処理を行って、４０９６×２１６０／９６Ｐ−１２０Ｐ／４：４：４，４：２：２／１０ビット，１２ビット信号を再生する。すなわち、６チャンネルのモードＢの１０Ｇ−ＳＤＩから、３２チャンネルのＨＤ−ＳＤＩが生成される。また、第１の実施の形態と同様の処理により、３２チャンネルのＨＤ−ＳＤＩに対してワード多重及びライン多重が行われ、第１〜第８のサブイメージが生成される。そして、第１の実施の形態と同様の処理により、第１〜第８のサブイメージに対して２画素多重が行われ、４０９６×２１６０／９６Ｐ−１２０Ｐ／４：４：４，４：２：２／１０ビット，１２ビット信号が再生される。
【０２８５】
以上のように、第５の実施の形態によれば、４０９６×２１６０／９６Ｐ−１２０Ｐ／４：４：４，４：２：２／１０ビット，１２ビット信号から３２チャンネルのＨＤ−ＳＤＩを生成するまでの間引き処理に必要となるメモリの容量、及び、伝送遅延を抑制することができる。また、従来のＳＤＩフォーマットを用いて、４０９６×２１６０／９６Ｐ−１２０Ｐ／４：４：４，４：２：２／１０ビット，１２ビット信号を送受信することが可能となる。さらに、４０９６×２１６０／９６Ｐ−１２０Ｐ／４：４：４，４：２：２／１０ビット，１２ビット信号をシリアル伝送する場合に、元の４０９６×２１６０／９６Ｐ−１２０Ｐ／４：４：４，４：２：２／１０ビット，１２ビット信号と同じフレーム単位で、映像の切り替えを行うことができる。
【０２８６】
以上に説明した第１〜第５の実施の形態に係る伝送システム１０によれば、現状のＨＤ（１９２０×１０８０）の４倍、１６倍にも相当する超高解像度（超大容量）の映像を伝送できる。
【０２８７】
また、上述した第１〜第５の実施の形態におけるマッピング方式によれば、必要とするメモリ量を削減したり、処理の遅延を小さくしたりすることができる。さらに、３８４０×２１６０／（５０Ｐ−６０Ｐ）×Ｎ、７６８０×４３２０／（５０Ｐ−６０Ｐ）×Ｎ、４０９６×２１６０／９６Ｐ−１２０Ｐ信号を画素単位あるいは時間単位で間引いて、ＳＭＰＴＥ２７４Ｍで規定される１９２０×１０８０／５０Ｉ−６０Ｉ信号に変換することにより、現行の測定器で観測することが可能になる。また、現行の諸々のＳＭＰＴＥマッピング規格との整合が取れるので、将来ＳＭＰＴＥにおける標準化においても賛同を得られる可能性が最も高い方式である。
【０２８８】
さらに、上述した第１〜第５の実施の形態によれば、以下の効果を得ることができる。
【０２８９】
（１）ＩＴＵやＳＭＰＴＥでは、次世代の映像信号である３８４０×２１６０，７６８０×４３２０／１００Ｐ−１２０Ｐ信号が審議されている。更にはこれを超える４０９６×２１６０／９６Ｐ−１２０Ｐ信号、３８４０×２１６０，７６８０×４３２０／（５０Ｐ−６０Ｐ）×Ｎ信号、４０９６×２１６０／（４８Ｐ−６０Ｐ）×Ｎ信号についても審議されている。そして、特許第４６４５６３８号公報に記載された方式を用いて、多チャンネルの１０Ｇインタフェースで映像信号を伝送することが出来る。
【０２９０】
（２）現状のＨＤ映像規格ＳＭＰＴＥ２７４や、2048×1080 and 4096×2160 Digital Cinematography Production image Format FS/709 Ｓ2048-1,2には６０Ｐまでの規定しかない。また、将来ＳＭＰＴＥ２７４を改定して１２０Ｐを追加するのは、ＨＤ機器が幅広く普及し開発・商品・販売されている現状では困難であるとの見方が強い。このため、将来の５０Ｐ−６０Ｐの整数倍になるハイフレーム信号を、現状のＳＭＰＴＥ２７４やＳＭＰＴＥ２０４８−２に規定される、多チャンネルの１９２０×１０８０／５０Ｉ−６０Ｉ信号や２０４８×１０８０／４８Ｉ−６０Ｉ信号にマッピングして伝送する方法を検討した。
【０２９１】
更に、現在３８４０×２１６０，７６８０×４３２０／５０Ｐ−６０Ｐ信号を多チャンネルの１０Ｇ−ＳＤＩで伝送する方式はＳＭＰＴＥ２０３６−３として標準化されている。また、４０９６×２１６０／４８Ｐ−６０Ｐ信号を多チャンネルの１０Ｇ−ＳＤＩで伝送する方式はＳＭＰＴＥ２０４８−３として標準化されている。ＳＭＰＴＥ２０３６−３やＳＭＰＴＥ２０４８−３は、上述した実施の形態に係る２画素サンプル間引き方式（特許第４６４５６３８号）と同じ方式を採用しているので、上述した実施の形態に係る方式が将来ＳＭＰＴＥにて標準化される可能性が高い。
【０２９２】
（３）４ｋ、８ｋの信号を２画素サンプル毎に間引くことで、画面全体の映像を現行のＨＤ用のモニタや波形モニタ、あるいは８ｋ信号を将来の４ｋ用モニタ等で観測できる。このため、映像機器を開発する際等における不具合の解析に有効である。
【０２９３】
（４）Ｎフレームの映像信号から生成されるサブイメージにおいて、各フレームに対応する映像データ領域の間に垂直ブランキング領域を設けることで、元の映像信号と同じフレーム単位で映像の切り替えを行うことが可能になる。また、垂直ブランキング領域を設けることにより、サブイメージへの画素サンプルのマッピング時の遅延を抑制し、必要なメモリ容量を削減することができる。
【０２９４】
（５）また、新たな伝送規格を設けることなく、従来用いられていた伝送規格を利用できるので利便性が向上する。
【０２９５】
＜７．変形例＞
［コンピュータの構成例］
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【０２９６】
図２８は、上述した一連の処理をプログラムにより実行するコンピュータのハードウエアの構成例を示すブロック図である。
【０２９７】
コンピュータにおいて、CPU（Central Processing Unit）３０１，ROM（Read Only Memory）３０２，RAM（Random Access Memory）３０３は、バス３０４により相互に接続されている。
【０２９８】
バス３０４には、さらに、入出力インタフェース３０５が接続されている。入出力インタフェース３０５には、入力部３０６、出力部３０７、記憶部３０８、通信部３０９、及びドライブ３１０が接続されている。
【０２９９】
入力部３０６は、キーボード、マウス、マイクロフォンなどよりなる。出力部３０７は、ディスプレイ、スピーカなどよりなる。記憶部３０８は、ハードディスクや不揮発性のメモリなどよりなる。通信部３０９は、ネットワークインタフェースなどよりなる。ドライブ３１０は、磁気ディスク、光ディスク、光磁気ディスク、又は半導体メモリなどのリムーバブルメディア３１１を駆動する。
【０３００】
以上のように構成されるコンピュータでは、CPU３０１が、例えば、記憶部３０８に記憶されているプログラムを、入出力インタフェース３０５及びバス３０４を介して、RAM３０３にロードして実行することにより、上述した一連の処理が行われる。
【０３０１】
コンピュータ（CPU３０１）が実行するプログラムは、例えば、パッケージメディア等としてのリムーバブルメディア３１１に記録して提供することができる。また、プログラムは、ローカルエリアネットワーク、インターネット、デジタル衛星放送といった、有線または無線の伝送媒体を介して提供することができる。
【０３０２】
コンピュータでは、プログラムは、リムーバブルメディア３１１をドライブ３１０に装着することにより、入出力インタフェース３０５を介して、記憶部３０８にインストールすることができる。また、プログラムは、有線または無線の伝送媒体を介して、通信部３０９で受信し、記憶部３０８にインストールすることができる。その他、プログラムは、ROM３０２や記憶部３０８に、あらかじめインストールしておくことができる。
【０３０３】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０３０４】
また、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０３０５】
さらに、本開示の実施の形態は、上述した実施の形態に限定されるものではなく、本開示の要旨を逸脱しない範囲において種々の変更が可能である。
【０３０６】
例えば、上述のフローチャートで説明した各ステップは、１つの装置で実行する他、複数の装置で分担して実行することができる。
【０３０７】
また、１つのステップに複数の処理が含まれる場合には、その１つのステップに含まれる複数の処理は、１つの装置で実行する他、複数の装置で分担して実行することができる。
【０３０８】
さらに、例えば、本開示は以下のような構成も取ることができる。
【０３０９】
（１）
１フレームの画素数がＨＤフォーマットで規定される画素数を超えるｍ×ｎ（ｍサンプル、ｎラインを示すｍ，ｎは、正の整数）／（４８Ｐ−６０Ｐ）×Ｎ（Ｎは、２以上の整数）／ｒ：ｇ：ｂ（ｒ，ｇ，ｂは、所定の信号伝送方式である場合における信号比率）／１０ビット，１２ビット信号からなる第１の映像信号の連続するＮフレームから、２Ｎライン間隔で各ラインの隣り合う２つの画素サンプルのペアを１つ置きに間引き、ｍ′×ｎ′（ｍ′サンプル、ｎ′ラインを示すｍ′，ｎ′は、正の整数）／４８Ｐ−６０Ｐ／ｒ′：ｇ′：ｂ′（ｒ′，ｇ′，ｂ′は、所定の信号伝送方式である場合における信号比率）／１０ビット，１２ビット信号からなる第１〜第４Ｎのサブイメージにマッピングするとともに、各サブイメージにおいて前記第１の映像信号の各フレームの画素サンプルをそれぞれマッピングするＮの領域の間に垂直ブランキング領域を設ける第１の画素間引き制御部を
備える信号処理装置。
（２）
前記第１の映像信号は、３８４０×２１６０／（５０Ｐ−６０Ｐ）×Ｎ／４：４：４，４：２：２，４：２：０／１０ビット，１２ビット信号である
前記（１）に記載の信号処理装置。
（３）
Ｎが２であり、
前記第１の画素間引き制御部は、前記サブイメージの先頭に２１ライン、末尾に２ライン、及び、前記映像信号の第１のフレームの画素サンプルがマッピングされる領域と第２のフレームの画素サンプルがマッピングされる領域との間に２２ラインの前記垂直ブランキング領域を設ける
前記（２）に記載の信号処理装置。
（４）
７６８０×４３２０／（５０Ｐ−６０Ｐ）×Ｎ／４：４：４，４：２：２，４：２：０／１０ビット，１２ビット信号からなる第２の映像信号から、１ライン置きに各ラインの隣り合う２つの画素サンプルのペアを１つ置きに間引き、４つの前記第１の映像信号にマッピングする第２の画素間引き制御部を
さらに備える前記（２）又は（３）に記載の信号処理装置。
（５）
前記第１〜第４Ｎのサブイメージのライン間引きを行うことによりインターレース信号に変換するライン間引き制御部と、
前記インターレース信号のワード間引きを行うことにより、１６ＮチャンネルのＨＤ−ＳＤＩのフォーマットで規定されるシリアル・デジタルデータを生成するワード間引き制御部と
をさらに備える前記（１）乃至（４）のいずれかに記載の信号処理装置。
（６）
前記１６Ｎチャンネルのシリアル・デジタルデータを多重することにより、２Ｎチャンネルの１０．６９２ＧｂｐｓのＳＤＩのフォーマットで規定されるシリアル・デジタルデータを生成する多重部を
さらに備える前記（５）に記載の信号処理装置。
（７）
前記１６Ｎチャンネルのシリアル・デジタルデータを多重することにより、８Ｎチャンネルの３ＧｂｐｓのＳＤＩのフォーマットで規定されるシリアル・デジタルデータを生成する多重部を
さらに備える前記（５）に記載の信号処理装置。
（８）
前記シリアル・デジタルデータの出力を制御する出力制御部を
さらに備える前記（５）乃至（７）のいずれかに記載の信号処理装置。
（９）
１フレームの画素数がＨＤフォーマットで規定される画素数を超えるｍ×ｎ（ｍサンプル、ｎラインを示すｍ，ｎは、正の整数）／（４８Ｐ−６０Ｐ）×Ｎ（Ｎは、２以上の整数）／ｒ：ｇ：ｂ（ｒ，ｇ，ｂは、所定の信号伝送方式である場合における信号比率）／１０ビット，１２ビット信号からなる映像信号の連続するＮフレームから、２Ｎライン間隔で各ラインの隣り合う２つの画素サンプルのペアを１つ置きに間引き、ｍ′×ｎ′（ｍ′サンプル、ｎ′ラインを示すｍ′，ｎ′は、正の整数）／４８Ｐ−６０Ｐ／ｒ′：ｇ′：ｂ′（ｒ′，ｇ′，ｂ′は、所定の信号伝送方式である場合における信号比率）／１０ビット，１２ビット信号からなる第１〜第４Ｎのサブイメージにマッピングするとともに、各サブイメージにおいて前記映像信号の各フレームの画素サンプルをそれぞれマッピングするＮの領域の間に垂直ブランキング領域を設ける画素間引き制御ステップを
含む信号処理方法。
（１０）
１フレームの画素数がＨＤフォーマットで規定される画素数を超えるｍ×ｎ（ｍサンプル、ｎラインを示すｍ，ｎは、正の整数）／（４８Ｐ−６０Ｐ）×Ｎ（Ｎは、２以上の整数）／ｒ：ｇ：ｂ（ｒ，ｇ，ｂは、所定の信号伝送方式である場合における信号比率）／１０ビット，１２ビット信号からなる映像信号の連続するＮフレームから、２Ｎライン間隔で各ラインの隣り合う２つの画素サンプルのペアを１つ置きに間引き、ｍ′×ｎ′（ｍ′サンプル、ｎ′ラインを示すｍ′，ｎ′は、正の整数）／４８Ｐ−６０Ｐ／ｒ′：ｇ′：ｂ′（ｒ′，ｇ′，ｂ′は、所定の信号伝送方式である場合における信号比率）／１０ビット，１２ビット信号からなる第１〜第４Ｎのサブイメージにマッピングするとともに、各サブイメージにおいて前記映像信号の各フレームの画素サンプルをそれぞれマッピングするＮの領域の間に垂直ブランキング領域を設ける画素間引き制御ステップを
含む処理をコンピュータに実行させるためのプログラム。
（１１）
１フレームの画素数がＨＤフォーマットで規定される画素数を超えるｍ×ｎ（ｍサンプル、ｎラインを示すｍ，ｎは、正の整数）／（４８Ｐ−６０Ｐ）×Ｎ（Ｎは、２以上の整数）／ｒ：ｇ：ｂ（ｒ，ｇ，ｂは、所定の信号伝送方式である場合における信号比率）／１０ビット，１２ビット信号からなる映像信号の連続するＮフレームから、２Ｎライン間隔で各ラインの隣り合う２つの画素サンプルのペアを１つ置きに間引き、マッピングすることにより生成され、ｍ′×ｎ′（ｍ′サンプル、ｎ′ラインを示すｍ′，ｎ′は、正の整数）／４８Ｐ−６０Ｐ／ｒ′：ｇ′：ｂ′（ｒ′，ｇ′，ｂ′は、所定の信号伝送方式である場合における信号比率）／１０ビット，１２ビット信号からなる第１〜第４Ｎのサブイメージであって、前記映像信号の各フレームの画素サンプルがそれぞれマッピングされるＮの領域の間に垂直ブランキング領域が設けられる第１〜第４Ｎのサブイメージから画素サンプルを抽出し、多重することにより前記Ｎフレームの映像信号を再生する画素多重部を
備える信号処理装置。
（１２）
１フレームの画素数がＨＤフォーマットで規定される画素数を超えるｍ×ｎ（ｍサンプル、ｎラインを示すｍ，ｎは、正の整数）／（４８Ｐ−６０Ｐ）×Ｎ（Ｎは、２以上の整数）／ｒ：ｇ：ｂ（ｒ，ｇ，ｂは、所定の信号伝送方式である場合における信号比率）／１０ビット，１２ビット信号からなる映像信号の連続するＮフレームから、２Ｎライン間隔で各ラインの隣り合う２つの画素サンプルのペアを１つ置きに間引き、マッピングすることにより生成され、ｍ′×ｎ′（ｍ′サンプル、ｎ′ラインを示すｍ′，ｎ′は、正の整数）／４８Ｐ−６０Ｐ／ｒ′：ｇ′：ｂ′（ｒ′，ｇ′，ｂ′は、所定の信号伝送方式である場合における信号比率）／１０ビット，１２ビット信号からなる第１〜第４Ｎのサブイメージであって、前記映像信号の各フレームの画素サンプルがそれぞれマッピングされるＮの領域の間に垂直ブランキング領域が設けられる第１〜第４Ｎのサブイメージから画素サンプルを抽出し、多重することにより前記Ｎフレームの映像信号を再生する画素多重ステップを
含む信号処理方法。
（１３）
１フレームの画素数がＨＤフォーマットで規定される画素数を超えるｍ×ｎ（ｍサンプル、ｎラインを示すｍ，ｎは、正の整数）／（４８Ｐ−６０Ｐ）×Ｎ（Ｎは、２以上の整数）／ｒ：ｇ：ｂ（ｒ，ｇ，ｂは、所定の信号伝送方式である場合における信号比率）／１０ビット，１２ビット信号からなる映像信号の連続するＮフレームから、２Ｎライン間隔で各ラインの隣り合う２つの画素サンプルのペアを１つ置きに間引き、マッピングすることにより生成され、ｍ′×ｎ′（ｍ′サンプル、ｎ′ラインを示すｍ′，ｎ′は、正の整数）／４８Ｐ−６０Ｐ／ｒ′：ｇ′：ｂ′（ｒ′，ｇ′，ｂ′は、所定の信号伝送方式である場合における信号比率）／１０ビット，１２ビット信号からなる第１〜第４Ｎのサブイメージであって、前記映像信号の各フレームの画素サンプルがそれぞれマッピングされるＮの領域の間に垂直ブランキング領域が設けられる第１〜第４Ｎのサブイメージから画素サンプルを抽出し、多重することにより前記Ｎフレームの映像信号を再生する画素多重ステップを
含む処理をコンピュータに実行させるためのプログラム。
（１４）
１フレームの画素数がＨＤフォーマットで規定される画素数を超えるｍ×ｎ（ｍサンプル、ｎラインを示すｍ，ｎは、正の整数）／（４８Ｐ−６０Ｐ）×Ｎ（Ｎは、２以上の整数）／ｒ：ｇ：ｂ（ｒ，ｇ，ｂは、所定の信号伝送方式である場合における信号比率）／１０ビット，１２ビット信号からなる映像信号の連続するＮフレームから、２Ｎライン間隔で各ラインの隣り合う２つの画素サンプルのペアを１つ置きに間引き、ｍ′×ｎ′（ｍ′サンプル、ｎ′ラインを示すｍ′，ｎ′は、正の整数）／４８Ｐ−６０Ｐ／ｒ′：ｇ′：ｂ′（ｒ′，ｇ′，ｂ′は、所定の信号伝送方式である場合における信号比率）／１０ビット，１２ビット信号からなる第１〜第４Ｎのサブイメージにマッピングするとともに、各サブイメージにおいて前記映像信号の各フレームの画素サンプルをそれぞれマッピングするＮの領域の間に垂直ブランキング領域を設ける第１の画素間引き制御部を
備える信号送信装置と、
前記第１〜第４Ｎのサブイメージから画素サンプルを抽出し、多重することにより前記Ｎフレームの映像信号を再生する画素多重部を
備える信号送信装置と
を備える信号伝送システム。
【符号の説明】
【０３１０】
１  放送用カメラ，  ２  ＣＣＵ，  ３  光ファイバーケーブル，  １０  信号伝送システム，  １１  マッピング部，  １２  Ｓ／Ｐ・スクランブル・８Ｂ／１０Ｂ部，  １４  多重部，  １５  データ長変換部，  １７  多チャンネルデータ形成部，  １８  多重・Ｐ／Ｓ変換部，  １９  光電変換部，  ２１  ２画素間引き制御部，  ２４−１〜２４−８  ライン間引き制御部，  ２６−１〜２６−１６  ワード間引き制御部，  ２８−１〜２８−３２  読出し制御部，  ３１  光電変換部，  ３２  Ｓ／Ｐ変換・多チャンネルデータ形成部，  ３３  多重部，  ３６  データ長変換部，  ３７  分離部，  ３８  デスクランブル・８Ｂ／１０Ｂ・Ｐ／Ｓ部，  ３９  再生部，  ４２  ２画素多重制御部，  ４５−１〜４５−８  ライン多重制御部，  ４７−１〜４７−１６  ワード多重制御部，  ４９−１〜４９−３２  書き込み制御部，  ６２  第２の２画素間引き制御部，  ６５−１〜６５−４  第１の２画素間引き制御部，  ６７−１〜６７−３２  ライン間引き制御部，  ６９−１〜６９−６４  ワード間引き制御部，  ７１−１〜７１−１２８  読出し制御部，  ８２  第２の２画素多重制御部，  ８５−１〜８５−４  第１の２画素多重制御部，  ８７−１〜８７−３２  ライン多重制御部，  ８９−１〜８９−６４  ワード多重制御部，  ９１−１〜９１−１２８  書き込み制御部
【図１】
2018174582.tif 000003
【図２】
2018174582.tif 000004
【図３】
2018174582.tif 000005
【図４】
2018174582.tif 000006
【図５】
2018174582.tif 000007
【図６】
2018174582.tif 000008
【図７】
2018174582.tif 000009
【図８】
2018174582.tif 000010
【図９】
2018174582.tif 000011
【図１０】
2018174582.tif 000012
【図１１】
2018174582.tif 000013
【図１２】
2018174582.tif 000014
【図１３】
2018174582.tif 000015
【図１４】
2018174582.tif 000016
【図１５】
2018174582.tif 000017
【図１６】
2018174582.tif 000018
【図１７】
2018174582.tif 000019
【図１８】
2018174582.tif 000020
【図１９】
2018174582.tif 000021
【図２０】
2018174582.tif 000022
【図２１】
2018174582.tif 000023
【図２２】
2018174582.tif 000024
【図２３】
2018174582.tif 000025
【図２４】
2018174582.tif 000026
【図２５】
2018174582.tif 000027
【図２６】
2018174582.tif 000028
【図２７】
2018174582.tif 000029
【図２８】
2018174582.tif 000030